(57)【要約】任意に指定した複数の楽曲の関連情報を一括で保存することができるようにする。保管手段１ａは、コンテンツの関連情報を保持することができる。受信手段１ｂは、放送される複数のコンテンツの関連情報を受信する。一時記憶手段１ｃは、複数のコンテンツそれぞれの関連情報４を一時的に記憶する。指示手段１ｄは、一時記憶手段１ｃに記憶された複数の関連情報を保管手段１ａに記録するように指示する。記録手段１ｅは、指示手段１ｄによる指示に応じて、一時記憶手段１ｃに記憶されている複数の関連情報５ａを保管手段１ａに１つの集合単位５として記録すると共に、当該集合単位５に関連付けて集合名称を保管手段１ａに記録する。これにより、一回の指示で複数の関連情報が記憶される。
2005006611.tif 000002
【特許請求の範囲】
【請求項１】
放送される複数のコンテンツの関連情報を受信する受信手段と、
複数の上記コンテンツの上記関連情報を一時的に記憶する一時記憶手段と、
任意の上記関連情報を保管する保管手段と、
上記一時記憶手段に記憶された複数の上記関連情報を上記保管手段に記録するように指示する指示手段と、
上記指示手段による指示に応じて、上記一時記憶手段に記憶されている複数の上記関連情報を上記保管手段に１つの集合単位として記録すると共に、当該集合単位に関連付けて集合名称を上記保管手段に記録する記録手段と
を具えることを特徴とする情報記録装置。
【請求項２】
上記記録手段は、
上記指示手段により、放送番組内で放送された上記コンテンツの上記関連情報を上記保管手段に記録するように指示されたとき、上記放送番組内で放送された上記コンテンツの上記関連情報を１つの上記集合単位として上記保管手段に記録すると共に、上記放送番組の名称を当該集合単位の上記集合名称とする
ことを特徴とする請求の範囲第１項に記載の情報記録装置。
【請求項３】
上記記録手段は、
上記指示手段により、任意の時間帯に放送された上記コンテンツの上記関連情報を上記保管手段に記録するように指示されたとき、上記時間帯に放送された上記コンテンツの上記関連情報を１つの上記集合単位として上記保管手段に記録すると共に、放送局の名称と時間帯情報とを当該集合単位の名称とする
ことを特徴とする請求の範囲第１項に記載の情報記録装置。
【請求項４】
装填される記録媒体から当該記録媒体に記録されている複数の上記コンテンツを再生する再生手段
を具え、
上記記録手段は、
上記指示手段により、上記記録媒体に記録されている複数の上記コンテンツの上記関連情報を上記保管手段に記録するように指示されたとき、上記記録媒体に記録されている複数の上記コンテンツの上記関連情報を１つの上記集合単位として上記保管手段に記録する
ことを特徴とする請求の範囲第１項に記載の情報記録装置。
【請求項５】
上記指示手段は、
１又は複数の上記関連情報を上記保管手段に記録するように指示し、
上記記録手段は、
上記指示手段により、１つの上記関連情報を上記保管手段に記録するように指示されたとき、当該指示された上記関連情報を、個別記録用に予め用意された上記集合単位に含めて上記保管手段に記録する
ことを特徴とする請求の範囲第１項に記載の情報記録装置。
【請求項６】
装填される記録媒体から当該記録媒体に記録されている複数の上記コンテンツを再生する再生手段と、
上記再生手段で再生される複数の上記コンテンツの上記関連情報を要求する要求情報を送信する送信手段と
を具え、
上記受信手段は、
上記要求情報に対応する複数の上記関連情報を受信し、
上記記録手段は、
上記受信された複数の上記関連情報を上記保管手段に１つの上記集合単位として記録すると共に、当該集合単位に関連付けて上記集合名称を上記保管手段に記録する
ことを特徴とする請求の範囲第１項に記載の情報記録装置。
【請求項７】
放送される複数のコンテンツの関連情報を受信する関連情報受信ステップと、
複数の上記コンテンツの上記関連情報を一時記憶手段に一時的に記憶する一時記憶ステップと、
上記一時記憶手段に記憶された複数の上記関連情報を、任意の上記関連情報を保管する保管手段に記録するように指示する指示ステップと、
上記指示に応じて、上記一時記憶手段に記憶されている複数の上記関連情報を上記保管手段に１つの集合単位として記録すると共に、当該集合単位に関連付けて集合名称を上記保管手段に記録する記録ステップと
を具えることを特徴とする情報記録方法。
【請求項８】
上記関連情報受信ステップは、
認証機能を有する認証サーバ、及び上記関連情報を提供する関連情報提供サーバと通信可能で、複数の上記コンテンツの上記関連情報を受信可能な端末装置が、
複数の上記コンテンツに関連する上記関連情報を要求する要求情報を、上記端末装置と上記関連情報提供サーバ間のセッションＩＤであるサービスセッションＩＤと共に上記関連情報提供サーバに送信し、
上記関連情報提供サーバから、認証エラーを示す情報と当該関連情報提供サーバを識別するサービス識別情報とを受信し、
上記関連情報提供サーバへアクセスするための認証チケットの発行を要求する認証チケット発行要求情報を、上記端末装置と上記認証サーバ間のセッションＩＤである認証セッションＩＤと共に上記認証サーバに送信し、
上記認証サーバにより認証許可されたとき、上記認証サーバにより発行された認証チケットを受信し、上記関連情報提供サーバに対して認証要求情報を上記認証チケット共に送信し、
上記関連情報提供サーバにより認証許可されたとき、上記端末装置と上記関連情報提供サーバ間のセッションＩＤであるサービスセッションＩＤを受信し、
上記関連情報を要求する要求情報を、上記受信された上記サービスセッションＩＤと共に上記関連情報提供サーバに送信し、
上記関連情報提供サーバにより認証許可されたとき、上記要求情報に応じた上記関連情報を受信する
ことを特徴とする請求の範囲第７項に記載の情報記録方法。
【請求項９】
上記関連情報受信ステップは、
上記端末装置が、
上記認証サーバによる認証がエラーのとき、認証エラーを示す情報を受信し、ユーザＩＤとパスワードを上記認証サーバに送信し、
上記認証サーバによる上記ユーザＩＤとパスワードの認証が許可されたとき、上記端末装置と上記認証サーバ間のセッションＩＤである認証セッションＩＤを受信し、
上記認証チケット発行要求情報を、上記認証セッションＩＤと共に上記認証サーバに送信する
ことを特徴とする請求の範囲第８項に記載の情報記録方法。
【請求項１０】
現在放送されて受信中の上記コンテンツの上記関連情報を要求する要求情報を所定間隔毎に送信する要求情報送信ステップと、
上記関連情報を表示する表示ステップと
を具え、
上記関連情報受信ステップは、
上記要求情報に応じた上記関連情報を受信し、
上記表示ステップと、
上記受信された上記関連情報を表示する
ことを特徴とする請求の範囲第７項に記載の情報記録方法。
【請求項１１】
コンピュータを、
放送される複数のコンテンツの関連情報を受信する受信手段、
複数の上記コンテンツの上記関連情報を一時的に記憶する一時記憶手段、
任意の上記関連情報を保管する保管手段、
上記一時記憶手段に記憶された複数の上記関連情報を上記保管手段に記録するように指示する指示手段、
上記指示手段による指示に応じて、上記一時記憶手段に記憶されている複数の上記関連情報を上記保管手段に１つの集合単位として記録すると共に、当該集合単位に関連付けて集合名称を上記保管手段に記録する記録手段
として機能させることを特徴とする情報記録プログラム。
【発明の詳細な説明】
【技術分野】  本発明はネットワーク経由で楽曲の情報を取得する情報記録装置、情報記録方法及び情報記録プログラムに関し、特に関連情報を二次記憶装置に保存することができる情報記録装置、情報記録方法及び情報記録プログラムに関する。
【背景技術】  近年、インターネットを介した様々なコンテンツサービスが行われている。コンテンツサービスの中には、地上波のラジオ放送の放送局の番組情報をインターネットで配信するサービスがある。端末装置の使用者は、配信される番組情報を利用することで、その端末装置で音楽を視聴する際の利便性を向上させることができる。
例えば、送信している番組のプログラムタイプ（ＰＴＹ）が付加された信号を復調する受信機としては、使用者の選択する頻度が高い番組のＰＴＹを自動的に検出し、使用者がＰＴＹを設定することなく、簡単に番組自動選曲を行うことができるディジタル音声放送受信機が開示されている（特許文献１参照）。
このディジタル音声放送受信機は、受信した信号を復調部で音声信号とＰＴＹに復調する。ディジタル音声放送受信機は、使用者によりボタンが押されたときメモリにＰＴＹコードを記憶する。このとき、ディジタル音声放送受信機は、各ＰＴＹコードの選択された回数をカウントし、メモリにその結果を記憶する。そしてディジタル音声放送受信機は、ＰＴＹコードの選択された回数に基づいて、使用者の選択する頻度が高い番組を判断できる。
ただし、特許文献１記載のディジタル音声放送受信機は、受信した番組情報を単に即時表示するようにしていたので、過去の複数の番組情報をまとめて、これらを一覧表の形式で表示できないという不都合があった。そこで、このようなディジタル音声放送受信機としては、視聴している楽曲の情報（以下、関連情報という）を、自動的に記憶するディジタル音声放送受信装置も開示されている（特許文献２参照）。このディジタル音声放送受信装置では、例えば、楽曲を一定時間聴取したら、その楽曲の関連情報が記録される。
【特許文献１】特開平８−３３０９１１号公報。
【特許文献２】特開平１１−１２２１９９号公報。
ところで、現在のインターネットでは、ユーザが希望する楽曲データをユーザの端末装置に配信したり、オンラインで音楽ＣＤ（Ｃｏｍｐａｃｔ  Ｄｉｓｃ）の注文を受け付けたり、音楽に関連する様々なサービスが提供されている。ユーザがこのようなサービスを利用するには、端末装置を操作して、希望する楽曲あるいはＣＤタイトル等を指定する必要がある。
そこで、インターネットに接続されたコンシューマエレクトロニクス（ＣＥ）機器において、再生している楽曲に関するタイトル等の関連情報を記憶させることが考えられている。ユーザは、ＣＥ機器において、予め記憶しておいた関連情報を指定することで、任意の楽曲に関するサービスを受けることができる。
しかし、従来のＣＥ機器は、ＦＭ放送の番組内で視聴された楽曲の関連情報を１曲ずつ記憶するのみであり、ユーザにとって不便な場合があった。すなわち、ＣＥ機器は、楽曲を１曲ずつ視聴させながら順次関連情報を記録していく場合、番組全体の関連情報を記憶するには番組を終了まで視聴させなければならず、手間がかかる。
【発明の開示】
本発明はこのような点に鑑みてなされたものであり、任意に指定した複数の楽曲の関連情報を一括で保存することができる情報記録装置、情報記録方法及び情報記録プログラムを提供することを目的とする。
本発明では課題を解決するために、放送される複数のコンテンツの関連情報を受信する受信手段と、複数のコンテンツの関連情報を一時的に記憶する一時記憶手段と、任意の関連情報を保管する保管手段と、一時記憶手段に記憶された複数の関連情報を保管手段に記録するように指示する指示手段と、指示手段による指示に応じて、一時記憶手段に記憶されている複数の関連情報を保管手段に１つの集合単位として記録すると共に、当該集合単位に関連付けて集合名称を保管手段に記録する記録手段とを有することを特徴とする情報記録装置が提供される。
このような情報記録装置によれば、放送される複数のコンテンツの関連情報を保管手段に記憶するように指示が出されると、一時記憶手段に記憶されている複数の関連情報が１つの集合単位として保管手段に記録される。そして、記録された集合単位に関連付けて集合名称が保管手段に記録される。
また、本発明では課題を解決するために、装填される記録媒体から当該記録媒体に記録されている複数のコンテンツを再生する再生手段と、再生手段で再生される複数のコンテンツの関連情報を受信する受信手段と、任意の関連情報を保管する保管手段と、複数のコンテンツの関連情報を一時的に記憶する一時記憶手段と、記録媒体に記録されているコンテンツに対応する複数の関連情報を保管手段に記録するように指示する指示手段と、指示手段による指示に応じて、一時記憶手段に記憶されている複数の関連情報を保管手段に１つの集合単位として記録すると共に、当該集合単位に関連付けて集合名称を保管手段に記録する記録手段とを有することを特徴とする情報記録装置が提供される。
このような情報記録装置によれば、記録媒体に記録されている複数のコンテンツの関連情報を保管手段に記憶するように指示が出されると、一時記憶手段に記憶されている複数の関連情報が１つの集合単位として保管手段に記録される。そして、記録された集合単位に関連付けて集合名称が保管手段に記録される。
また、本発明では課題を解決するために、放送される複数のコンテンツの関連情報を受信し、複数のコンテンツの関連情報を一時記憶手段に一時的に記憶し、一時記憶手段に記憶された複数の関連情報を、任意の関連情報を保管する保管手段に記録するように指示し、指示に応じて、一時記憶手段に記憶されている複数の関連情報を保管手段に１つの集合単位として記録すると共に、当該集合単位に関連付けて集合名称を保管手段に記録することを特徴とする情報記録方法が提供される。
このような情報記録方法によれば、放送される複数のコンテンツの関連情報を保管手段に記憶するように指示が出されると、一時記憶手段に記憶されている複数の関連情報が１つの集合単位として保管手段に記録される。そして、記録された集合単位に関連付けて集合名称が保管手段に記録される。
また、本発明では課題を解決するために、装填される記録媒体から当該記録媒体に記録されている複数のコンテンツを再生し、再生される複数のコンテンツの関連情報を受信し、当該受信した複数のコンテンツの関連情報を保管手段に１つの集合単位として記録すると共に、当該集合単位に関連付けて集合名称を保管手段に記録することを特徴とする情報記録方法が提供される。
このような情報記録方法によれば、記録媒体に記録されている複数のコンテンツの関連情報が１つの集合単位として保管手段に記録される。そして、記録された集合単位に関連付けて集合名称が保管手段に記録される。
また、本発明では課題を解決するために、コンピュータを、放送される複数のコンテンツの関連情報を受信する受信手段、複数のコンテンツの関連情報を一時的に記憶する一時記憶手段、任意の関連情報を保管する保管手段、一時記憶手段に記憶された複数の関連情報を保管手段に記録するように指示する指示手段、指示手段による指示に応じて、一時記憶手段に記憶されている複数の関連情報を保管手段に１つの集合単位として記録すると共に、当該集合単位に関連付けて集合名称を保管手段に記録する記録手段、として機能させることを特徴とする情報記録プログラムが提供される。
このような情報記録プログラムをコンピュータに実行させれば、放送される複数のコンテンツの関連情報を保管手段に記憶するように指示が出されると、コンピュータにより、一時記憶手段に記憶されている複数の関連情報が１つの集合単位として保管手段に記録される。そして、コンピュータにより、記録された集合単位に関連付けて集合名称が保管手段に記録される。
以上説明したように本発明では、一回の指示で、複数の関連情報を１つの集合単位として格納するようにしたため、複数のコンテンツの関連情報を記憶させる際の指示が容易となる。
【図面の簡単な説明】  図１は、実施の形態に適用される発明の概念図である。
図２は、本発明による第１の実施の形態に係るネットワークシステムを示す図である。
図３は、ＣＤタイトル情報提供サーバのハードウェア構成を示すブロック図である。
図４は、端末装置の外観を示す図である。
図５は、端末装置のハードウェア構成を示すブロックである。
図６は、本実施の形態に係るシステムのプログラム構成を示す図である。
図７は、放送中の楽曲の関連情報の取得手順を示すシーケンス図である。
図８は、ＣＤの楽曲に関する関連情報の取得処理を示すシーケンス図である。
図９は、総合サービス利用時の関連情報取得手順を示す図である。
図１０は、放送受信時の関連情報取得手順を示す図である。
図１１は、ＣＤ再生時の関連情報取得手順を示す図である。図１１（Ａ）は、ＣＤ停止状態でＴＯＣ（Ｔａｂｌｅ  Ｏｆ  Ｃｏｎｔｅｎｔｓ）表示中のクリップ操作を示す図である。図１１（Ｂ）は、ＣＤ停止状態でＴＯＣ表示中のクリップ操作を示す図である。図１１（Ｃ）は、ＣＤ再生中のクリップ操作を示す図である。
図１２は、関連情報を指定した処理の実行手順を示すフローチャートである。
図１３は、クリップした関連情報のデータ構造例を示す図である。
図１４は、関連情報の保存形式を示す図である。
図１５は、クリップ処理の手順を示すフローチャートである。
図１６は、楽曲のリストからクリップする場合の操作例を示す図である。
図１７は、楽曲集合一覧から楽曲リスト毎にクリップする場合の操作例を示す図である。
図１８は、クリップ確認画面の表示例を示す図である。
図１９は、クリップした楽曲リスト情報の表示例を示す図である。
図２０は、楽曲集合一覧画面の例を示す図である。
図２１は、楽曲リスト表示画面の例を示す図である。
図２２は、楽曲集合一覧の表示画面を示す図である。
図２３は、１曲単位でクリップした楽曲リストの表示画面を示す図である。
図２４は、楽曲集合一覧から検索又は購入指示を行う操作例を示す図である。
図２５は、楽曲集合一覧からクリップと同時に検索又は購入指示を行う操作例を示す図である。
図２６は、ＣＤ検索処理を示すフローチャートである。
図２７は、ＦＭ局の放送内容から楽曲を検索するときの手順を示すフローチャートである。
図２８は、ＦＭ局選択画面の例を示す図である。
図２９は、検索方法選択画面の例を示す図である。
図３０は、日時検索画面の例を示す図である。
図３１は、日時検索の検索結果画面の例を示す図である。
図３２は、番組検索画面の例を示す図である。
図３３は、番組リスト画面の例を示す図である。
図３４は、番組検索の検索結果画面の例を示す図である。
図３５は、本発明による第２の実施の形態に係る音楽関連サービス提供システムの全体構成を示す略線図である。
図３６は、クライアント端末の機能回路ブロックによるハードウェア構成を示すブロック図である。
図３７は、ディレクトリ構成を示す略線図である。
図３８は、ポータルサーバの機能回路ブロックによるハードウェア構成を示すブロック図である。
図３９は、音楽データ配信サーバの機能回路ブロックによるハードウェア構成を示すブロック図である。
図４０は、物販サーバの機能回路ブロックによるハードウェア構成を示すブロック図である。
図４１は、ラジオ放送情報配信サーバの機能回路ブロックによるハードウェア構成を示すブロック図である。
図４２は、クライアント端末及びポータルサーバ間のユーザ認証処理手順を示すシーケンスチャートである。
図４３は、クライアント端末及び音楽データ配信サーバ間のユーザ認証処理手順を示すシーケンスチャートである。
図４４は、音楽データ配信サービス提供処理手順を示すシーケンスチャートである。
図４５は、物販サービス提供処理手順を示すシーケンスチャートである。
図４６は、ラジオ放送情報（オンエアリスト情報）配信サービス提供処理手順（１）を示すシーケンスチャートである。
図４７は、ラジオ放送情報（ナウオンエア情報）配信サービス提供処理手順（２）を示すシーケンスチャートである。
【符号の説明】
１……情報記録装置、１ａ……保管手段、１ｂ……受信手段、１ｃ……一時記憶手段、１ｄ……指示手段、１ｅ……記録手段、２……ネットワーク、３……サーバ、４……関連情報、５……集合単位、５ａ……関連情報、１０……端末装置、１１……ＣＰＵ、２１……ハードディスクドライブ、２２……通信処理部、２３……ネットワークインタフェース、３１……ＣＤタイトル情報提供サーバ、３２……放送局サーバ、３３……音楽配信サーバ、３４……ＣＤショップサーバ、３５……インターネットラジオサーバ、３６……総合サービスサーバ、１００２……クライアント端末、１００３……ポータルサーバ、１００６……ラジオ放送情報配信サーバ、１０２３……制御部、１０３２……通信制御部、１０２９……記憶媒体
【発明を実施するための最良の形態】  以下、本発明の実施の形態を図面を参照して説明する。
（１）本願発明の概要
まず、実施の形態に適用される発明の概要について説明し、その後、実施の形態の具体的な内容を説明する。
図１は、実施の形態に適用される発明の概念図である。本発明に係る情報記録装置１は、保管手段１ａ、受信手段１ｂ、一時記憶手段１ｃ、指示手段１ｄ、及び記録手段１ｅを有している。また、情報記録装置１は、ネットワーク２を介してサーバ３に接続されている。サーバ３は、ＦＭ局やテレビ局で放送されるコンテンツの関連情報や、販売されているＣＤ等の記録媒体に収録されたコンテンツの関連情報を提供している。関連情報とは、コンテンツの内容を示す情報であり、例えば、タイトル、アーティスト等の情報である。
保管手段１ａは、コンテンツの任意の関連情報を保持し、管理する。保管手段１ａとしては、例えば、電源を遮断しても記憶内容を保持できる装置（ストレージデバイス）が使用される。
受信手段１ｂは、複数のコンテンツの関連情報４を受信する。図１の例で受信手段１ｂは、ネットワーク３０を介して接続されたサーバ３から、複数の関連情報４を取得する。受信手段１ｂの取得した関連情報４は、一時記憶手段１ｃに渡される。
一時記憶手段１ｃは、複数のコンテンツそれぞれの関連情報４を一時的に記憶する。一時記憶手段１ｃとしては、例えば、バッファとして使用可能な揮発性の半導体記憶装置を使用することができる。一時記憶手段１ｃに記憶された関連情報４の内容は、画面表示することもできる。
指示手段１ｄは、一時記憶手段１ｃに記憶された複数の関連情報を保管手段１ａに記録するように指示する。例えば、指示手段１ｄは、ユーザからの操作入力により、記憶する関連情報が選択されると、その選択された関連情報を記録するように、記録手段１ｅに指示する。
記録手段１ｅは、指示手段１ｄによる指示に応じて、一時記憶手段１ｃに記憶されている複数の関連情報４を保管手段１ａに１つの集合単位５として記録すると共に、当該集合単位５に関連付けて集合名称を保管手段１ａに記録する。
このような情報記録装置１は、受信手段１ｂにより、複数のコンテンツの関連情報４を受信し、その関連情報４を一時記憶手段１ｃに一時的に記憶する。その後、情報記録装置１は、ユーザにより、放送される複数のコンテンツの関連情報４を保管手段１ａに記憶するように指示されると、一時記憶手段１ｃに記憶している複数の関連情報４を１つの集合単位５として保管手段１ａに記録する。そして、情報記録装置１は、記録した集合単位５に関連付けて集合名称を保管手段１ａに記録する。
これにより、情報記録装置１は、１回の指示で、放送されているコンテンツの複数の関連情報４を、１つの集合単位５として保管手段１ａに記憶することができる。その結果、本発明は、関連情報を記憶させるための指示が容易となり、ユーザによる操作性が向上する。
また、情報記録装置１は、放送されているコンテンツの関連情報に限らず、ＣＤ等の記録媒体に記録されている各コンテンツの関連情報も、１つの集合単位として保管手段１ａに記録することができる。
なお、集合単位に関連付けた集合名称は、記録された関連情報の特徴を表す名称が用いられる。情報記録装置１は、例えば、記録した関連情報が、放送される番組内の複数のコンテンツに関する関連情報であれば、その番組の番組名を集合名称として記録する。また、情報記録装置１は、記録した関連情報が、所定の時間帯内に放送されたコンテンツに関する関連情報であれば、放送局の識別情報と放送時間帯の情報を集合名称として記録する。
（２）第１の実施の形態
ところで、放送されるコンテンツとしては、楽曲がある。楽曲の関連情報には、その楽曲のタイトルや演奏しているアーティストの名称等が含まれる。以下、ネットワークに接続された端末装置に、図１に示す情報記録装置１の機能を内蔵し、関連情報を記録する場合を例にとり、本発明の実施の形態を具体的に説明する。
なお、以下の説明では、楽曲又は楽曲集合に関する関連情報を保存する処理を、クリップと呼ぶこととする。
図２は、本発明の実施の形態に係るネットワークシステムを示す図である。端末装置１０は、ネットワーク３０を介して各種サーバに接続されている。ネットワーク３０は、例えば、インターネットである。サーバとしては、ＣＤタイトル情報提供サーバ３１、放送局サーバ３２、音楽配信サーバ３３、ＣＤショップサーバ３４、インターネットラジオサーバ３５、総合サービスサーバ３６等がある。
ＣＤタイトル情報提供サーバ３１は、市販されているＣＤに収録されている楽曲の関連情報の配信サービスを行う。
放送局サーバ３２は、ＦＭ放送やテレビ（ＴＶ）放送等の放送局３７が管理するサーバである。放送局３７は、アンテナ３８を介して無線による放送を行っている。放送局サーバ３２は、放送される楽曲の関連情報の提供サービスを行う。
なお、放送局サーバ３２により提供される関連情報の提供機能は、大別して次の２つに分かれる。第１の機能は、現在放送中の楽曲の関連情報を提供する機能（ナウオンエア）である。第２の機能は、端末装置１０からの要求に応じて、既に放送した楽曲のリスト（オンエアリスト）を提供する機能である（オンエアリストには、各楽曲の関連情報も含まれる）。例えば、放送局サーバ３２は、指定された番組内で放送した楽曲の関連情報を提供したり、指定された時間帯内に放送した楽曲の関連情報を提供したりする。
音楽配信サーバ３３は、楽曲のディジタルデータ（楽曲データ）を配信するサービスを行うサーバである。例えば、音楽配信サーバ３３は、楽曲の購入手続きを行ったユーザの端末装置１０に対してのみ、楽曲データを提供する。また、音楽配信サーバ３３は、配信する楽曲の関連情報を提供することができる。
ＣＤショップサーバ３４は、ＣＤの通信販売のための注文受け付け等を行うサーバである。ＣＤショップサーバ３４は、試聴用の音声データ等の配信サービスや、販売しているＣＤに収録された楽曲の関連情報の提供サービスも行う。
インターネットラジオサーバ３５は、インターネット等の広域ネットワーク経由で音声番組を提供するサーバである。
総合サービスサーバ３６は、ネットワーク３０を介したサービスの提供窓口（ポータルサイト）として機能し、各種総合サービスの提供を仲介する。例えば、総合サービスサーバ３６は、放送されている楽曲の関連情報の配信元を示す情報（例えばＵＲＬ（Ｕｎｉｆｏｒｍ  Ｒｅｓｏｕｒｃｅ  Ｌｏｃａｔｏｒ））を、端末装置１０に配信する。
このように、複数のサーバが、ネットワーク３０上の楽曲又は楽曲集合に関する情報の提供サービスを行っている。すなわち、各サーバが、ネットワーク３０上の楽曲又は楽曲集合のソースとして機能している。
なお、音楽配信サーバ３３とＣＤショップサーバ３４は、楽曲購入可能サーバである。従って、ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から楽曲データをダウンロードできる。また、端末装置１０のユーザは、ＣＤショップサーバ３４に対して購入手続きを行うことで、自宅にＣＤを宅配してもらうことができる。
端末装置１０は、ＣＤ２９ａ、ＭＤ（Ｍｉｎｉ  Ｄｉｓｃ）２９ｂ、ハードディスクドライブ（ＨＤＤ：Ｈａｒｄ  Ｄｉｓｋ  Ｄｒｉｖｅ）２１等の記録媒体に、ローカル上の楽曲又は楽曲の集合のソースを保持している。なお、ＣＤ２９ａとＭＤ２９ｂとは、可搬型の記録媒体であり、端末装置１０に対して容易に着脱できる。端末装置１０に対してどのようなローカルソースが用意されるかは、端末装置１０の種類、目的により異なる。また、端末装置１０は、アンテナ２６を介して放送されるコンテンツを受信することができる。
なお、図２に示したローカル上の楽曲又は楽曲集合のソースは一例である。すなわち、端末装置１０は、当該端末装置１０のローカルに存在する記録媒体であれば、かかる記録媒体に対し楽曲又は楽曲集合を記録することで、その記録媒体をローカル上の楽曲又は楽曲の集合のソースとして機能させることができる。
また、端末装置１０は、クリップした関連情報を記憶するクリップ情報記憶装置２１ａを備えている。クリップ情報記憶装置２１ａは、端末装置１０の二次記憶装置である。例えば、端末装置１０は、ＨＤＤ２１等の記憶領域の一部を、クリップ情報記憶装置２１ａとして機能させることができる。なお、端末装置１０は、クリップを楽曲に対しても、楽曲集合に対しても行うことができる。これにより、端末装置１０は、ユーザの気になる楽曲が多数含まれたＦＭ番組、ＣＤアルバム等については、まるごとクリップすることで、１回のクリップ動作で、気になる楽曲集合の関連情報を記録することができる。
図３は、ＣＤタイトル情報提供サーバ３１のハードウェア構成例を示す図である。ＣＤタイトル情報提供サーバ３１は、ＣＰＵ（Ｃｅｎｔｒａｌ  Ｐｒｏ−ｃｅｓｓｉｎｇ  Ｕｎｉｔ）３１ａによって装置全体が制御されている。ＣＰＵ３１ａには、バス３１ｇを介してＲＡＭ（Ｒａｎｄｏｍ  Ａｃｃｅｓｓ  Ｍｅｍｏｒｙ）３１ｂ、ハードディスクドライブ（ＨＤＤ）３１ｃ、グラフィック処理装置３１ｄ、入力インタフェース３１ｅ、及び通信インタフェース３１ｆが接続されている。
ＲＡＭ３１ｂには、ＣＰＵ３１ａに実行させるＯＳ（Ｏｐｅｒａｔｉｎｇ  Ｓｙｓｔｅｍ）のプログラムやアプリケーションプログラムの少なくとも一部が一時的に格納される。また、ＲＡＭ３１ｂには、ＣＰＵ３１ａによる処理に必要な各種データが格納される。ＨＤＤ３１ｃには、ＯＳやアプリケーションプログラムが格納される。また、ＨＤＤ３１ｃには、端末装置１０に対して提供するＣＤの関連情報が格納される。
グラフィック処理装置３１ｄには、表示装置３１ｈが接続されている。グラフィック処理装置３１ｄは、ＣＰＵ３１ａからの命令に従って、画像を表示装置３１ｈの画面に表示させる。入力インタフェース３１ｅには、キーボード３１ｉとマウス３１ｊとが接続されている。入力インタフェース３１ｅは、キーボード３１ｉやマウス３１ｊから送られてくる信号を、バス３１ｇを介してＣＰＵ３１ａに送信する。
通信インタフェース３１ｆは、ネットワーク３０に接続されている。通信インタフェース３１ｆは、ネットワーク３０を介して、他のコンピュータとの間でデータの送受信を行う。
以上のようなハードウェア構成によって、本実施の形態の処理機能を実現することができる。なお、図３には、ＣＤタイトル情報提供サーバ３１のハードウェア構成を代表的に説明したが、他のサーバも同様のハードウェア構成で実現することができる。
また、本実施の形態における端末装置１０は、楽曲の再生機能を有するオーディオ機器としての機能を兼ね備えている。
図４は、端末装置の外観を示す図である。図４に示すように、本実施の形態に係る端末装置１０は、一般的なシステムコンポと同様の外観をしている。端末装置１０は、装置本体１０ａ、スピーカ２５ａ，２５ｂ、及びリモートコントローラ４０で構成される。装置本体１０ａには、ＣＤやＤＶＤ（Ｄｉｇｉｔａｌ  Ｖｅｒｓａｔｉｌｅ  Ｄｉｓｃ）の再生機能、ＭＤの録音再生機能、及びＦＭ放送やＴＶ放送の受信機能を備えている。装置本体１０ａで生成した音声信号がスピーカ２５ａ，２５ｂに送られることで、スピーカ２５ａ，２５ｂから音が出力される。
また、装置本体１０ａには、表示装置１７が設けられている。表示装置１７には、再生中の楽曲の関連情報や、クリップによって保存された関連情報等が表示される。
リモートコントローラ４０は、装置本体１０ａを遠隔操作するための入力装置である。リモートコントローラ４０には複数の操作キーが設けられている。リモートコントローラ４０は、ユーザによって操作キーが押されると、赤外線等の無線の通信手段により、押された操作キーに応じた信号を装置本体１０ａに送信する。
操作キーとしては、方向キー４１ａ〜４１ｄ、決定キー４２、ファンクション選択キー４３ａ〜４３ｃ、ツールキー４４、戻るキー４５等がある。
方向キー４１ａ〜４１ｄは、例えば、表示装置１７に表示されたカーソルや、フォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
決定キー４２は、例えば、表示装置１７に表示された内容を確定するために使用される。
ファンクション選択キー４３ａ〜４３ｃは、機能の選択に使用される。例えば、３つのファンクション選択キー４３ａ〜４３ｃは、それぞれ総合サービス利用機能、チューナ機能、ローカルコンテンツ管理機能に対応付けられている。そして、ファンクション選択キー４３ａ〜４３ｃの何れか１つが押されると、装置本体１０ａは、押されたファンクション選択キーに対応する機能の動作モードになる。
ツールキー４４は、表示装置１７上にツールメニューを表示させるためのボタンである。ツールメニュー内には、表示装置１７に表示されている内容に応じたコマンドが表示される。端末装置１０は、ユーザによりツールメニューから任意のコマンドが選択されると、そのコマンドに応じた処理を実行する。例えば、端末装置１０は、ユーザにより方向キー４１ａ〜４１ｄを操作して任意のコマンドが選択され、さらに決定キー４２が押されると、選択されたコマンドに応じた処理を実行する。
戻るキー４５は、表示装置１７の表示内容を、直前の状態に戻すためのボタンである。
なお、リモートコントローラ４０には、図４に示したもの以外にも様々な操作キーを設けることができる。かかる操作キーとしては、例えば、音量調節キー、ＣＤ等の再生キー、停止キー等がある。
次に、端末装置１０の内部構成を説明する。
図５は、端末装置のハードウェア構成を示すブロックである。図５に示すような端末装置１０により、楽曲等の様々なソースを管理、記録、再生が可能となる。
ＣＰＵ１１は、起動されたプログラムに基づいて端末装置１０の全体の制御、演算処理を行う。例えばネットワーク３０を介した通信動作、ユーザに対する入出力動作、メディアからのコンテンツ再生やクリップ、ＨＤＤ２１へのコンテンツ記憶やそのための管理、クリップ情報等に基づくネットワーク３０を介した情報検索等を行う。なお、本実施の形態の端末装置１０が対応して記録再生可能なコンテンツデータとしては、オーディオのコンテンツデータや動画のコンテンツデータである。ＣＰＵ１１はバス１２を介して各回路部との間で制御信号やデータのやりとりを行う。
ＲＯＭ（Ｒｅａｄ  Ｏｎｌｙ  Ｍｅｍｏｒｙ）１３は、ＣＰＵ１１が実行すべき動作プログラム、プログラムローダーや、各種演算係数、プログラムで用いるパラメータ等が記憶される。また、ＲＡＭ２０には、ＣＰＵ１１が実行すべきプログラムが展開される。また、ＲＡＭ２０は、ＣＰＵ１１が各種処理を実行する際において必要となるデータ領域、タスク領域としても用いられる。
操作入力部１５は、端末装置１０の筐体に設けられた操作キーやジョグダイヤル、タッチパネル等の各種操作子等を有する。なお、端末装置１０には、ＧＵＩ（Ｇｒａｐｈｉｃａｌ  Ｕｓｅｒ  Ｉｎｔｅｒｆａｃｅ）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
表示装置１７としては、例えば液晶ディスプレイ等の表示デバイスが接続され、各種情報表示が行われる。ＣＰＵ１１が各種動作状態や入力状態、通信状態に応じて表示情報を表示処理部１６に供給すると、表示処理部１６は供給された表示データに基づいて表示装置１７に表示動作を実行させる。例えば、表示装置１７には、サーバ等から配信された関連情報の内容や、クリップ情報の内容が表示される。また、表示装置１７には、ネットワーク３０を介した楽曲の検索が行われた場合、検索結果が表示される。
メディアドライブ１９ａ，１９ｂは、可搬型の記録媒体に記録された楽曲等のコンテンツを記録、再生（記録媒体によって再生のみの場合もある）することができるドライブである。なお、メディアドライブ１９ａ，１９ｂそれぞれが記録、又は再生可能な記録媒体の種類は、１種類とは限らない。すなわち、メディアドライブ１９ａ，１９ｂは、複数の種類の記録媒体に対して記録、再生を行うことも可能である。例えば、メディアドライブ１９ａがＣＤ、ＤＶＤの再生を行い、メディアドライブ１９ｂがＭＤの記録再生を行う。
なお、楽曲等のコンテンツを記録する可搬型の記録媒体としては、ＣＤ、ＤＶＤ等の光学的な記録媒体に限定されるべきものではない。例えば、かかる記録媒体としては、コンテンツを格納したフラッシュメモリ等の半導体メモリにより構成された記録媒体を用いることができる。その場合、フラッシュメモリのリーダライタがバス１２に接続される。
ユーザは、メディアドライブ１９ａ，１９ｂに、任意のコンテンツが記録された記録媒体（ＣＤ，ＤＶＤ，ＭＤ等）を挿入し、リモートコントローラ４０に対して所定の操作を行うことで、楽曲等を鑑賞することができる。例えば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４は、オーディオデータに対し、イコライジング等の音場処理や音量調整、Ｄ／Ａ変換、増幅等の処理を施し、スピーカ部２５から出力する。なお、スピーカ部２５は、図４に示したような複数のスピーカ２５ａ，２５ｂで構成され、ステレオで音声を出力することができる。
また、メディアドライブ１９ａ，１９ｂにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚで１６ビット量子化のディジタルオーディオデータとしてもよい。かかるコンテンツは、ＨＤＤ２１の容量を節約するために、所定方式に従って圧縮処理が施された形式の圧縮オーディオデータとされてもよい。また、圧縮方式は何ら限定されるものではないが、ＡＴＲＡＣ（Ａｄｖａｎｃｅｄ  ＴＲａｎｓｆｏｒｍ  Ａｃｏｕｓｔｉｃ  Ｃｏｄ−ｉｎｇ、商標）方式やＭＰ３（ＭＰＥＧ  Ａｕｄｉｏ  Ｌａｙｅｒ−３）方式等を採用することができる。
チューナ部２７は、例えばＡＭ・ＦＭラジオチューナとされ、ＣＰＵ１１の制御に基づいてアンテナ２６で受信された放送信号を復調する。もちろんチューナ部２７は、テレビチューナや衛星放送チューナ、ディジタル放送チューナ等としてのチューナでもよい。復調された放送音声信号は、オーディオデータ処理部２４において所要の処理が施され、スピーカ部２５から放送音声として出力される。
通信処理部２２は、ＣＰＵ１１の制御に基づいて送信データのエンコード処理、受信データのデコード処理を行う。ネットワークインタフェース２３は、通信処理部２２でエンコードされた送信データを、ネットワーク３０を介して所定の外部ネットワーク対応機器に送信する。また、ネットワークインタフェース２３は、ネットワーク３０を介して外部ネットワーク対応機器から送信されてきた信号を通信処理部２２に受け渡す。通信処理部２２は受信した情報をＣＰＵ１１に転送する。ネットワーク３０を介して受信する情報には、例えば、ＦＭ等で放送中の番組の関連情報や、ＣＤ等のタイトルに含まれる楽曲の情報がある。
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
なお、端末装置１０の構成は、この図５の構成に限られるものではなく、更に多様に考えられる。例えば端末装置１０には、ＵＳＢ（Ｕｎｉｖｅｒｓａｌ  Ｓｅｒｉａｌ  Ｂｕｓ）、ＩＥＥＥ１３９４、Ｂｌｕｅｔｏｏｔｈ等の通信方式による周辺機器とのインタフェースを設けるようにしてもよい。そして、端末装置１０は、上記ネットワークインタフェース２３によりネットワーク３０を介してダウンロードしたオーディオのコンテンツや、上記ＵＳＢ、ＩＥＥＥ１３９４等のインタフェースを経由して転送されてきたオーディオのコンテンツについても、ＨＤＤ２１に対して記憶することができる。また端末装置１０には、マイクロホンや外部のヘッドホンの接続に用いられる端子や、ＤＶＤ再生時に対応するビデオ出力端子、ライン接続端子、光ディジタル接続端子等を設けてもよい。また、端末装置１０は、ＰＣＭＣＩＡスロット、メモリカードスロット等が形成され、外部の情報処理装置やオーディオ機器とデータのやりとりが可能とされてもよい。
次に、本実施の形態のシステムにおけるプログラムモジュールの構成について説明する。なお、プログラムモジュールは端末装置１０に実行させる処理を記述した情報であり、プログラムモジュールに基づいて端末装置１０が所定の機能を実現することができる。以下の説明では、プログラムモジュールを実行することで実現される機能を、そのプログラムモジュールの名称で呼ぶこととする。
図６は、端末装置のプログラムモジュール構成を示す図である。図６に示すように端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤの物販を行うＣＤショップサーバ３４、総合サービスサーバ３６、インターネットラジオサーバ３５、その他の各種サーバと通信を行うことができる。
ＨＴＴＰ（Ｈｙｐｅｒ  Ｔｅｘｔ  Ｔｒａｎｓｆｅｒ  Ｐｒｏｔｏｃｏｌ）メッセージプログラム１１１は、ＣＤタイトル情報提供サーバ３１、放送局サーバ３２、ＣＤショップサーバ３４、及び総合サービスサーバ３６等の各種サーバとの間のやりとりをＨＴＴＰ通信で行うものである。コミュニケータプログラム１１２は、総合サービスサーバ３６等と各種通信を行う通信モジュールである。
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局及び再生を行うインターネットラジオ選局再生モジュール１１８が設けられている。著作権保護情報管理モジュール１１４の上位には、楽曲購入及び試聴曲の再生を司る楽曲購入再生モジュール１１９が設けられている。
それらインターネットラジオ選局再生モジュール１１８、楽曲購入再生モジュール１１９の上位にはＸＭＬ（ｅＸｔｅｎｓｉｂｌｅ  Ｍａｒｋｕｐ  Ｌａｎ−ｇｕａｇｅ）ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。例えば、ＸＭＬブラウザ１５１を介してユーザに選択された楽曲は楽曲購入再生モジュール１１９で購入され、ハードディスクコンテンツコントローラ１１７を介してＨＤＤ２１に書き込まれる。
コミュニケータプログラム１１２には、ライブラリ１３０の認証ライブラリ１３１が接続されている。認証ライブラリ１３１は、総合サービスサーバ３６やその他の各種サーバの認証処理を行う。
さらにコミュニケータプログラム１１２の上位には、データベースアクセスモジュール１１５、コンテンツデータアクセスモジュール１１６及びハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
ハードディスクコンテンツコントローラ１１７の上位には、関連情報表示モジュール１２０、チューナ選局再生／録音モジュール１２１、及び楽曲購入再生モジュール１１９が設けられている。関連情報表示モジュール１２０は、放送局３７が放送した楽曲のタイトル及びアーティスト名を表示装置１７に表示する。チューナ選局再生／録音モジュール１２１は、放送局３７を選局したり、当該放送局３７から受信した楽曲のコンテンツをＨＤＤ２１に録音したりする。
例えば、オーディオユーザインタフェース（ＡｕｄｉｏＵＩ）１５２を介して選局された放送局３７から受信した楽曲は、コンテンツデータアクセスモジュール１１６を介してＨＤＤ２１へ書き込まれる。
関連情報表示モジュール１２０は、チューナ選局再生／録音モジュール１２１によって現在放送局３７が放送している楽曲のタイトルやアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
なお、オーディオユーザインタフェース１５２を介して表示装置１７に表示した関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
さらに端末装置１０のプログラムモジュールとしては、ＣＤを再生するためのＣＤ再生モジュール１４１と、ＨＤＤ２１を再生するためのＨＤＤ再生モジュール１４２とが含まれている。そしてＣＤ再生モジュール１４１やＨＤＤ再生モジュール１４２は、ＣＤやＨＤＤからの再生結果をオーディオデータ処理部２４及びスピーカ部２５を介して出力する。
このような構成の端末装置１０は、サーバから関連情報を取得し、その関連情報をクリップすることができる。なお、端末装置１０は、クリップと同時に、楽曲の検索や購入処理を行うこともできる。
次に、放送局３７が番組の中で放送した楽曲に関連した関連情報を取得する手順について説明する。なお、本実施の形態では、放送される楽曲の関連情報を放送局サーバ３２で提供しているが、複数の放送局から依頼を受けて、各放送局の番組情報の提供サービスを行う関連情報提供サーバを別に設けることもできる。
図７は、放送中の楽曲の関連情報の取得手順を示すシーケンス図である。なお、放送局３７は、番組の放送スケジュールに従って、順次番組の放送を行っているものとする。以下、図７に示す処理をステップ番号に沿って説明する。
［ステップＳ１０１］放送局３７において番組の放送を開始する。
［ステップＳ１０２］番組の開始の通知を受けて、放送局３７から放送局サーバ３２に対して、楽曲の放送開始が通知される。この通知は、放送機器から自動的に放送局サーバ３２に渡されてもよいし、放送局３７のスタッフが放送局サーバ３２に対して操作入力を行ってもよい。
［ステップＳ１１１］放送局サーバ３２は、複数種類の楽曲に関するタイトル、アーティスト名、当該楽曲が収録されているＣＤの名称やＣＤ番号等の楽曲に関連した関連情報をＨＤＤ２１にデータベース化して保有している。そして、放送局サーバ３２は、放送局３７から通知された楽曲の関連情報を端末装置１０への提供対象とするため、サービス提供対象として保持していた関連情報を、通知された楽曲の関連情報に更新し、次のステップＳ１１２へ移る。
［ステップＳ１２１］端末装置１０は、放送局３７がステップＳ１０１で放送した番組を受信して聴取し、その番組の中で放送された楽曲についても受信して聴取し、次のステップＳ１２２へ移る。
［ステップＳ１２２］端末装置１０は、その楽曲に関連したタイトル、アーティスト名等の関連情報の取得要求を、所定間隔（例えば、３０秒間隔）で放送局サーバ３２へ送信する。すなわち、端末装置１０は、受信中の楽曲の関連情報を取得するためのポーリングを行う。そして、端末装置１０の処理が、次のステップＳ１２３へ移る。
［ステップＳ１１２］このとき放送局サーバ３２は、端末装置１０からの取得要求に応じて、現在提供対象として保持している楽曲の関連情報を端末装置１０へネットワーク３０を介して提供する。そして、放送局サーバ３２の処理が、次のステップＳ１１３へ移る。
これにより端末装置１０は、放送局サーバ３２から提供された楽曲の関連情報を取得し、表示装置１７に表示することができる。その結果、端末装置１０は、番組で放送された楽曲のタイトル、アーティスト名等の楽曲情報を関連情報としてユーザに認識させることができる。
なお、本実施の形態における関連情報には、タイトル、アーティスト名の他に、ＣＤ番号、楽曲を放送した供給元である放送局３７を特定するための放送局識別情報、及びその楽曲が収録されている記録媒体を特定する媒体識別情報についても含まれている。
［ステップＳ１２３］端末装置１０は、前回の取得要求から３０秒間を経過すると、放送局サーバ３２へ関連情報の取得要求を再度行う。
［ステップＳ１１３］放送局サーバ３２は、再度楽曲の関連情報を端末装置１０へネットワーク３０を介して提供する。
端末装置１０では、放送局サーバ３２によって現在提供対象として保持している楽曲の関連情報が次に放送される楽曲の関連情報に更新されない限り、同じ楽曲の関連情報を取得することになり、更新されるまで表示装置１７に同じ楽曲の関連情報を表示する。
その後、端末装置１０は、放送局サーバ３２から提供を受けた楽曲の関連情報をクリップすることができる。クリップした場合、端末装置１０は、楽曲の関連情報に続いて他の楽曲の関連情報を放送局サーバ３２から取得し、これらについてもクリップすることができる。クリップされた関連情報により、端末装置１０のＨＤＤ２１内に、クリップ情報記憶装置２１ａとして機能するデータベースが構築される。
次に、端末装置１０が放送局サーバ３２に予め構築されているＣＤタイトル情報提供サーバ３１の中から所望のＣＤに収録された楽曲の関連情報を取得する手順について説明する。
図８は、ＣＤの楽曲に関する関連情報の取得処理を示すシーケンス図である。以下、図８に示す処理をステップ番号に沿って説明する。
［ステップＳ１３１］端末装置１０は、ユーザからの操作入力に応答して、再生すべきメディアドライブを選択する。例えば、ユーザがリモートコントローラ４０のファンクション選択キー４３ａ〜４３ｃのうち、再生すべきメディアに応じたファンクション選択キーを押下する。例えば、ユーザは、ＣＤを再生する場合、ＣＤに対応するファンクション選択キーを押下する。すると、端末装置１０は、ＣＤの再生を行うための動作モードとなる。
［ステップＳ１３２］端末装置１０は、ユーザからの操作入力に応答して、選択されているメディアドライブに装填されている記憶媒体（この例では、ＣＤ）に収録された楽曲を再生する。
［ステップＳ１３３］端末装置１０は、メディアドライブ１９ａ，１９ｂによって再生したＣＤに収録された楽曲に関する関連情報の取得要求をＣＤタイトル情報提供サーバ３１に対して行う。
［ステップＳ１４１］ＣＤタイトル情報提供サーバ３１は、予め構築されているデータベースにより端末装置１０からの取得要求に応じたＣＤの関連情報を検索し、その検索結果を端末装置１０へ提供する。例えば、取得要求にはＣＤの管理情報であるＴＯＣ（Ｔａｂｌｅ  Ｏｆ  Ｃｏｎｔｅｎｔｓ）データから生成された検索キー情報が含まれる。ＣＤタイトル情報提供サーバ３１は、当該検索キー情報に基づき、ＣＤの関連情報をデータベースから検索する。検索キー情報は、これに限らず、ＣＤに記録されている楽曲や動画／画像データに基づき生成してもよい。
ここでＣＤタイトル情報提供サーバ３１によって提供された関連情報には、タイトル、アーティスト名の他に、ＣＤ番号、当該ＣＤであることを示す媒体識別情報等も含まれる。なお媒体識別情報の対象としては、ＣＤ、ＤＶＤやメモリスティック（登録商標）等が他にも種々存在する。
その後、端末装置１０は、ＣＤタイトル情報提供サーバ３１からＣＤの関連情報を取得して、クリップすることができる。端末装置１０のＨＤＤ２１内には、クリップされた関連情報により、クリップ情報記憶装置２１ａとして機能するデータベースが構築される。
なお、端末装置１０は、サーバに対して検索要求を出したとき、楽曲集合一覧が返される場合がある。その場合、端末装置１０は、楽曲集合一覧を表示装置１７に表示し、楽曲集合に含まれる楽曲の関連情報をまとめてクリップすることができる。以下、関連情報を取得してクリップするまでのユーザの操作手順を、図９〜図１１を参照して説明する。
図９は、総合サービス利用時の関連情報取得手順を示す図である。総合サービスでは、検索キーに応じた楽曲のリスト又は楽曲集合のリストを各種サーバから取得することができる。図９に示した例では、端末装置１０が放送局サーバ３２から、放送局３７で放送された楽曲の関連情報を取得する場合を想定している。
まず、ＦＭ局選択画面２１１が表示装置１７に表示される。ユーザは、ＦＭ局選択画面２１１において、任意のＦＭ局を選択する。すると、端末装置１０が該当するＦＭ局のサーバにアクセスし、メインのウェブページを取得する。以下の説明では、端末装置１０が、放送局３７の選択に応じて、放送局サーバ３２に対してアクセスしたものとする。
端末装置１０は、ＦＭ局が選択されると、表示装置１７の画面をＦＭ局メイン画面２１２に遷移させる。ユーザは、ＦＭ局メイン画面２１２内のメニューからオンエアリストの検索を指定する。端末装置１０は、指定された内容に応じたウェブページを放送局サーバ３２から取得する。
端末装置１０は、オンエアリストの検索が指定された場合、表示装置１７の画面を検索方法選択画面２１３に遷移させる。ユーザは、検索方法選択画面２１３において、日時で検索するか番組で検索するかを選択する。すると、端末装置１０は、指定された内容に応じたウェブページを放送局サーバ３２から取得する。
端末装置１０は、検索方法選択画面２１３で日時検索が選択された場合、表示装置１７の画面を検索対象日時入力画面２１４に遷移させる。ユーザは、検索対象日時入力画面２１４において、検索対象日時を入力する。なお、検索対象日時は、ある程度の時間的な幅を持って指定される。すると、端末装置１０は、入力された検索対象日時を検索キーとした検索要求を放送局サーバ３２に対して送信する。放送局サーバ３２から端末装置１０へは、検索対象日時に放送された楽曲の関連情報が、結果情報として応答される。
端末装置１０は、検索対象日時が入力されると、表示装置１７の画面を、検索結果表示画面２１５に遷移させる。検索結果表示画面２１５には、楽曲リストが表示されている。ユーザは、楽曲を選択して決定キー４２を押すか、ツールキー４４を押下してツールメニューを表示させクリップコマンドを選択することができる。
端末装置１０は、検索結果表示画面２１５で楽曲を選択して決定キー４２が押された場合、表示装置１７の画面を意思選択画面２１９に遷移させる。また、端末装置１０は、クリップコマンドが選択された場合、検索結果表示画面２１５内に表示されている全楽曲の関連情報を楽曲集合としてまとめてクリップし、表示装置１７の画面をクリップ完了通知画面２２３に遷移させる。
一方、端末装置１０は、検索方法選択画面２１３で番組検索が選択された場合、表示装置１７の画面を番組放送日時入力画面２１６に遷移させる。ユーザは、番組放送日時入力画面２１６において、番組の放送日時を入力する。番組放送日時は、ある程度の時間的な幅を持って指定される。すると、端末装置１０は、入力された番組放送日時を検索キーとした検索要求を放送局サーバ３２に対して送信する。放送局サーバ３２から端末装置１０へは、番組放送日時で放送された番組のリスト及び各番組内で放送した楽曲の関連情報が、結果情報として応答される。
端末装置１０は、番組放送日時が入力されると、表示装置１７の画面を、指定日時の番組リスト画面２１７に遷移させる。そこで、ユーザが任意の番組を選択すると、表示装置１７の画面が検索結果表示画面２１８に遷移する。検索結果表示画面２１８には、楽曲リストが表示されている。ユーザは、楽曲を選択して決定キー４２を押すか、ツールキー４４を押下してツールメニューを表示させクリップコマンドを選択することができる。
端末装置１０は、検索結果表示画面２１８で楽曲を選択して決定キー４２が押された場合、表示装置１７の画面を意思選択画面２１９に遷移させる。また、クリップコマンドが選択された場合、端末装置１０は、検索結果表示画面２１８内に表示されている全楽曲の関連情報を楽曲集合としてまとめてクリップし、表示装置１７の画面はクリップ完了通知画面２２３に遷移する。
意思選択画面２１９には、選択された楽曲に対して実施可能な処理のメニューが表示されている。図９の例では、「クリップ」、「配信楽曲検索」、「ＣＤ検索」が表示されている。ユーザは、メニュー内から任意の処理を選択することができる。
端末装置１０は、ユーザにより意思選択画面２１９から「クリップ」が選択された場合、選択されている楽曲の関連情報をクリップし、表示装置１７の画面をクリップ完了通知画面２２０に遷移させる。
端末装置１０は、ユーザにより意思選択画面２１９から「配信楽曲検索」が選択された場合、表示装置１７の画面を配信楽曲検索先選択画面２２１に遷移させる。その後、ユーザは、配信楽曲検索先選択画面２２１に表示されている配信楽曲検索先を選択し、配信楽曲の検索を行うことができる。
端末装置１０は、ユーザにより意思選択画面２１９から「ＣＤ検索」が選択された場合、表示装置１７の画面をＣＤ検索先選択画面２２２に遷移させる。その後、ユーザは、ＣＤ検索先選択画面２２２に表示されているＣＤ検索先を選択し、ＣＤ検索を行うことができる。
以上のようにして、端末装置１０は、総合サービスを利用して楽曲の関連情報を取得し、クリップすることができる。
次に、ラジオ放送を受信しているときの楽曲の関連情報をクリップするためのユーザの操作手順について説明する。
図１０は、放送受信時の関連情報取得手順を示す図である。ＦＭ放送を受信している間、表示装置１７には、ナウオンエア画面２３１が表示されている。ナウオンエア画面２３１には、現在放送されている楽曲のタイトル等が表示されている。
ここで端末装置１０は、ユーザによりツールキー４４が押されるとツールメニューを表示する。そして端末装置１０は、そのツールメニューでクリップが選択されると、表示装置１７の画面を直近楽曲表示画面２３２に遷移させる。直近楽曲表示画面２３２には、放送された楽曲のうち、直近の任意の数（図１０の例では３曲）の楽曲が表示されている。
端末装置１０は、直近楽曲表示画面２３２において、ユーザにより任意の楽曲が選択され、決定キー４２が押されると、選択された楽曲の関連情報をクリップし、表示装置１７の画面をクリップ完了通知画面２３３に遷移させる。
以上のようにして、端末装置１０は、現在放送されている楽曲の関連情報を取得し、クリップすることができる。
次に、再生中のＣＤの楽曲の関連情報をクリップするためのユーザの操作手順について説明する。
図１１は、ＣＤ再生時の関連情報取得手順を示す図である。図１１（Ａ）は、ＣＤ停止状態でＴＯＣ（Ｔａｂｌｅ  Ｏｆ  Ｃｏｎｔｅｎｔｓ）表示中のクリップ操作を示す図である。図１１（Ｂ）は、ＣＤ停止状態でＴＯＣ（Ｔａｂｌｅ  Ｏｆ  Ｃｏｎｔｅｎｔｓ）表示中のクリップ操作を示す図である。図１１（Ｃ）は、ＣＤ再生中のクリップ操作を示す図である。
図１１（Ａ）に示すように、端末装置１０は、ＣＤの再生を停止しており、特定の楽曲が選択されていない状態では、表示装置１７に対しＴＯＣ表示画面２４３を表示している。ここで端末装置１０は、ユーザによりツールキー４４が押されるとツールメニューを表示する。そして端末装置１０は、そのツールメニューでクリップが選択されると、ＣＤに含まれる全ての楽曲の関連情報を、１つの楽曲集合としてクリップする。そして、端末装置１０は、表示装置１７の画面をクリップ完了通知画面２４２に遷移させる。
図１１（Ｂ）に示すように、端末装置１０は、ＣＤの再生を停止しており、特定の楽曲が選択されている状態では、表示装置１７に対し楽曲情報表示画面２４３を表示している。ここで端末装置１０は、ユーザによりツールキー４４が押されるとツールメニューを表示する。端末装置１０は、そのツールメニューでクリップが選択されると、当該選択されている楽曲の関連情報をクリップする。そして、端末装置１０は、表示装置１７の画面をクリップ完了通知画面２４４に遷移させる。
図１１（Ｃ）に示すように、端末装置１０は、ＣＤの再生中の状態では、表示装置１７に対し楽曲情報表示画面２４５を表示している。ここで端末装置１０は、ユーザによりツールキー４４が押されるとツールメニューを表示する。端末装置１０は、そのツールメニューでクリップが選択されると、再生されている楽曲の関連情報をクリップする。そして、端末装置１０は、表示装置１７の画面をクリップ完了通知画面２４６に遷移させる。
以上のようにして、端末装置１０は、各種サーバから関連情報を取得することができる。端末装置１０は、取得した関連情報を、表示装置１７に表示する。ユーザは、表示された楽曲又は楽曲集合からクリップ、検索、購入指示等の処理の実行対象を選択して、端末装置１０に該当する処理を実行させることができる。
図１２は、関連情報を指定した処理の実行手順を示すフローチャートである。以下、図１２に示す処理をステップ番号に沿って説明する。
［ステップＳ１１］端末装置１０は、関連情報を取得すると、取得した楽曲リスト又は楽曲集合一覧を表示する。楽曲リストは、例えば、ＦＭ放送で放送中の楽曲のリスト（現在放送中の楽曲及びその前の数曲（例えば、７曲）の楽曲のリスト）である。また、表示装置１７には、再生中のＣＤやＭＤに収録されている楽曲のリストが表示されている場合もある。表示装置１７に表示させる楽曲集合一覧としては、例えば、ＦＭ放送局の番組一覧表示がある。
なお、端末装置１０は、関連情報を、ＣＤタイトル情報提供サーバ３１等のサーバから取得する場合もあるし、ＣＤやＭＤから「ＣＤ  ＴＥＸＴ」の情報を関連情報として取得する場合もある。端末装置１０は、関連情報をどこから取得していたとしても、その関連情報をクリップすることが可能である。
［ステップＳ１２］端末装置１０は、ユーザから、楽曲又は楽曲集合の選択の操作入力を受け付ける。
［ステップＳ１３］端末装置１０は、ユーザからのコマンド入力を受け付ける。コマンドには、クリップ処理のコマンド、検索処理のコマンド、購入処理のコマンド、及びこれらの各処理の２以上の同時実行を指示するコマンドがある。
［ステップＳ１４］端末装置１０は、ユーザから指示されたコマンドに、クリップ処理の指示が含まれているか否かを判断する。その結果、端末装置１０は、クリップ処理が含まれていれば、処理をステップＳ１５に進める。これに対して端末装置１０は、クリップ処理が含まれていなければ、処理をステップＳ１６に進める。
［ステップＳ１５］端末装置１０は、ステップＳ１２で指定された楽曲又は楽曲リストのクリップ処理を実行する。このとき、端末装置１０は、楽曲集合を指定したクリップ指示であれば、楽曲集合の関連情報をまとめてクリップする。また端末装置１０は、１つの楽曲のみを指定したクリップ指示であれば、その楽曲の関連情報をクリップする。
［ステップＳ１６］端末装置１０は、ユーザから指示されたコマンドに、検索処理の指示が含まれているか否かを判断する。その結果、端末装置１０は、検索処理が含まれていれば、処理をステップＳ１７に進める。これに対して端末装置１０は、検索処理が含まれていなければ、処理をステップＳ１８に進める。
［ステップＳ１７］端末装置１０は、検索処理を実行する。具体的には、端末装置１０は、ユーザからの関連情報の検索指示を受け付ける。ユーザは、リモートコントローラ４０等を操作して、検索方法を指示することができる。例えば、ユーザは、ＣＤ番号を指定した検索指示を入力することができる。また、ユーザは、ＦＭ放送局の番組名と放送日とを指定した検索指示を端末装置１０に入力することができる。
端末装置１０は、関連情報の検索指示に応答して、関連情報を検索する。例えば、端末装置１０は、ＣＤ番号を指定した検索指示を受け取った場合、ＣＤタイトル情報提供サーバ３１に対して、ＣＤ番号を検索キーとした検索要求を送信する。また、端末装置１０は、ＦＭ放送局の番組名と放送日とを指定した検索指示を受け取った場合、指定されたＦＭ放送局の放送局サーバ３２に対して、番組名と放送日とを検索キーとした検索要求を送信する。
端末装置１０は、検索要求を送信したサーバから検索結果を受け取ると、検索結果に関連情報が含まれるか否かを判断する。その結果、端末装置１０は、検索結果に関連情報が含まれていなければ（検索要求に合致する関連情報の件数が０件の場合）、検索キーを変更し、異なる検索キーによる自動再検索を行うこともできる。例えば、端末装置１０は、ＣＤ番号による検索の結果、関連情報を取得できなかった場合、検索キーをアーティスト名等に置き換えて、再検索を行う。そして端末装置１０は、検索結果として関連情報を得た場合、取得した関連情報を表示する。
［ステップＳ１８］端末装置１０は、ユーザから指示されたコマンドに、楽曲のコンテンツの購入処理の指示が含まれているか否かを判断する。その結果、端末装置１０は、購入処理の指示が含まれていれば、処理をステップＳ１９に進める。これに対して端末装置１０は、検索処理の指示が含まれていなければ、処理を終了する。
［ステップＳ１９］端末装置１０は、購入指示に応じて、コンテンツの購入処理を実行する。具体的には、端末装置１０は、コンテンツを販売しているサーバにアクセスし、ユーザによって指定されたコンテンツの購入手続きを行う。端末装置１０は、購入するコンテンツが楽曲データであれば、購入先のサーバからその楽曲データをダウンロードすることができる。
以上のようにして、端末装置１０は、関連情報を取得して、当該取得した関連情報をクリップすることができる。
図１３は、クリップした関連情報のデータ構造例を示す図である。クリップした関連情報５０には、曲タイトル、アーティスト名、クリップ時刻、ＣＤ番号、クリップ場所等の項目のデータが含まれる。各項目に対応する内容としては、楽曲に関する各種データが設定される。
曲タイトルは楽曲の名称であり、サーバから送られる関連情報に含まれるデータである。
アーティスト名は、楽曲を演奏しているアーティストの名称であり、サーバから送られる関連情報に含まれるデータである。
クリップ時刻はクリップした時刻であり、クリップ処理を実行したときの端末装置１０の内部クロックの時刻が設定される。
ＣＤ番号は、楽曲が収録されているＣＤの識別番号であり、サーバから送られる関連情報に含まれる情報である。なお、ＣＤ番号は、ＣＤショップがＣＤを特定するために用いる識別番号であり、ＣＤ番号の体系には現状２種類ある。ＣＤショップに対して、どちらの番号体系が用いられているかはＣＤショップによって異なる。そこで、端末装置１０は、関連情報を提供したサーバで使用しているコード体系を識別する情報を、クリップした関連情報に含めてもよい。
クリップ場所はクリップした関連情報に対応するコンテンツ（ソース）の所在を示すデータである。端末装置１０は、例えば、ＭＤに記録された楽曲を再生中にその楽曲の関連情報をサーバから取得し、クリップをした場合、クリップ場所として「ＭＤ」を設定する。
図１３の例では、曲タイトルは「雨のち晴れ」、アーティスト名は「ファルコンズ」、クリップ時刻は「２００３／３／８  １９：２０」（２００３年３月８日  １９時２０分）、ＣＤ番号は「０１２３４５６７」、クリップ場所は「ＭＤ」である。
なお、項目はクリップの種類によって様々であり、目的によって変更することもできる。
次にクリップした関連情報の保存形式について説明する。
図１４は、クリップした関連情報の保存形式を示す図である。クリップした関連情報（クリップ情報）５０はリスト形式で保存される。リストとしては、１曲単位でクリップしたリスト６１とクリップした楽曲集合のリスト６２〜６４とが設けられる。１曲単位でクリップしたリスト６１は１つだけ設けられるが、クリップした楽曲集合のリスト６２〜６４は複数設けることができる。
１曲単位でクリップしたリスト６１は、楽曲を１曲毎に指定して取得された関連情報の保存場所（例えば、フォルダあるいはディレクトリ）である。また、クリップした楽曲集合のリスト６２〜６４は、楽曲の集合をまとめて取得したときの各楽曲の関連情報の保存場所（例えば、フォルダあるいはディレクトリ）である。
なお、クリップした楽曲集合のリスト６２〜６４には、楽曲集合に応じた適当な名前が設定される。例えば、端末装置１０は、ＣＤ内の複数の楽曲の関連情報を保存した場合、そのＣＤのタイトルを、クリップした楽曲集合のリストの名前に設定する。また、端末装置１０は、ＦＭ放送の番組内で放送される楽曲集合の関連情報を保存した場合、その番組の番組名や放送日時等を、クリップした楽曲集合のリストの名前に設定する。さらに、端末装置１０は、ネットワーク３０を介した楽曲検索で検出された楽曲集合を保存した場合、クリップした楽曲集合のリストの名前に検索キーや検索日時を設定することもできる。このように、リストの名前は楽曲集合の種類により様々である。
各リストには、クリップされた関連情報が関連付けられている。１曲単位でクリップしたリスト６１には、１曲目の関連情報５１ａ、２曲目の関連情報５１ｂ、３曲目の関連情報５１ｃ等が関連付けられている。クリップした楽曲集合のリスト６２には、１曲目の関連情報５２ａ、２曲目の関連情報５２ｂ、３曲目の関連情報５２ｃ等が関連付けられている。クリップした楽曲集合のリスト６３には、１曲目の関連情報５３ａ、２曲目の関連情報５３ｂ、３曲目の関連情報５３ｃ等が関連付けられている。クリップした楽曲集合のリスト６４には、１曲目の関連情報５４ａ、２曲目の関連情報５４ｂ、３曲目の関連情報５４ｃ等が関連付けられている。
端末装置１０は、新たに取得した関連情報を保存する場合、関連情報を１曲単位で取得したのか、集合として取得したのかにより、関連付けるリストを決定する。端末装置１０は、関連情報を１曲単位で取得した場合、１曲単位でクリップしたリスト６１の最後尾に、関連情報を関連付ける。これに対して端末装置１０は、関連情報を楽曲の集合で取得した場合、クリップした楽曲集合のリストを新たに生成し、その集合リストに関連情報を関連付ける。
なお、クリップした楽曲集合のリスト６２〜６４は楽曲の集合であればよく、ＦＭ放送で放送された楽曲のリスト（オンエアリスト）やアルバム、プレイリスト、あるいは検索結果として得られた楽曲の集合等でもよい。端末装置１０は、このような保存形式を取ることで、楽曲単体や様々な楽曲の集合のソース（ＣＤ、ＭＤ、ＨＤＤ、ＴＶ等の再生、配信音楽の受信、関連情報の閲覧等）でクリップしたデータを同様に扱えるという利点がある。
次に、楽曲の関連情報をクリップするときの端末装置１０の処理を説明する。
端末装置１０は、楽曲の関連情報をクリップするとき、まずクリップしたい楽曲の関連情報をサーバから取得する。そこで、ユーザは、リモートコントローラ４０等を操作して、端末装置１０に対して検索指示を入力する。
検索指示を受け取った端末装置１０は、検索指示に応じた検索要求をサーバに送信する。端末装置１０は、例えば、現在再生しているＣＤの関連情報を取得するという検索指示が入力された場合、ＣＤタイトル情報提供サーバ３１に対してＣＤ番号等のＣＤを特定する情報を含む検索要求を送信する。すると、ＣＤタイトル情報提供サーバ３１は、端末装置１０へ、ＣＤに含まれる各楽曲の関連情報を検索結果として送る。端末装置１０は、検索結果を、表示装置１７に表示する。このとき、端末装置１０は、ユーザによりクリップ対象の楽曲が選択され、クリップを指示する操作入力が行われると、クリップ処理を行う。
図１５は、クリップ処理の手順を示すフローチャートである。以下、図１５に示す処理をステップ番号に沿って説明する。
［ステップＳ２１］端末装置１０は、クリップ対象として選択されたのが、１曲の楽曲か楽曲リストかを判断する。その結果、端末装置１０は、１曲のみのクリップであれば、処理をステップＳ２２に進める。これに対して端末装置１０は、楽曲リストのクリップであれば、処理をステップＳ２３に進める。
［ステップＳ２２］端末装置１０は、１曲のみのクリップの場合、１曲単位でクリップしたリスト６１に、選択された楽曲の関連情報をクリップする。その後、端末装置１０は、クリップ処理を終了する。
［ステップＳ２３］端末装置１０は、楽曲リストのクリップの場合、まず新たな集合リストを生成する。そして端末装置１０は、生成した集合リストの名称に、選択された楽曲リストの名称（例えば、アルバム名やＦＭ放送の番組名）等を設定する。
［ステップＳ２４］端末装置１０は、ステップＳ２３で生成した集合リストに、クリップ対象の楽曲リストに含まれる各楽曲の関連情報をクリップする。その後、端末装置１０は、クリップ処理を終了する。
次に、楽曲又は楽曲の集合をクリップする際の操作例について、図１６、図１７を参照して説明する。
図１６は、楽曲のリストからクリップする場合の操作例を示す図である。表示装置１７の画面７１には、楽曲リスト７１ａが表示されている。楽曲リスト７１ａには、検索結果として得られた関連情報として、曲名やアーティスト名が表示されている。楽曲リスト７１ａの下には、全曲選択部７１ｂが設けられている。全曲選択部７１ｂは、楽曲リスト７１ａに示されている全ての関連情報をクリップする際に指定する選択項目である。
１曲単位でクリップする場合、ユーザは、楽曲リスト７１ａの中から任意の楽曲を選択し、クリップ処理を指示する操作入力を行う。例えば、ユーザは、リモートコントローラ４０の上下方向の方向キー４１ａ，４１ｂを操作してカーソル７１ｃを移動し、クリップ対象の楽曲にカーソル７１ｃを合わせる。そして、端末装置１０は、ユーザにより決定キー４２が押されると、カーソル７１ｃで示された関連情報をクリップする。
また、ユーザは、楽曲リスト７１ａに含まれる楽曲全てをクリップする場合、全曲選択部７１ｂを指定してクリップ処理を指示する操作入力を行う。例えば、ユーザは、リモートコントローラ４０の上下方向の方向キー４１ａ，４１ｂを操作してカーソル７１ｃを移動し、全曲選択部７１ｂにカーソル７１ｃを合わせる。そして、端末装置１０は、ユーザにより決定キー４２が押されると、楽曲リスト７１ａに含まれる楽曲全てをクリップする。
なお、端末装置１０は、楽曲リストの一覧画面から楽曲リスト内の全ての楽曲をクリップすることもできる。端末装置１０は、例えば、ＦＭ放送で放送された最新の楽曲のリストを表示装置１７に表示しているとき全曲選択部７１ｂが指定されれば、その楽曲のリストを保存する。
図１７は、楽曲集合一覧から楽曲リスト毎にクリップする場合の操作例を示す図である。表示装置１７の画面７２には、楽曲集合一覧７２ａが表示されている。楽曲集合一覧７２ａには、楽曲リスト毎の識別名が表示されている。例えば、ＦＭ放送で放送される番組名等が楽曲集合一覧７２ａに表示される。
ここで、楽曲集合一覧７２ａに含まれる楽曲リスト内の楽曲全てをクリップする場合、ユーザは、楽曲集合一覧７２ａの中から任意の楽曲リストを選択し、クリップ処理を指示する操作入力を行う。例えば、ユーザは、リモートコントローラ４０の上下方向の方向キー４１ａ，４１ｂを操作してカーソル７２ｂを移動し、クリップ対象の楽曲リストにカーソル７２ｂを合わせる。そして、端末装置１０は、ユーザにより決定キー４２が押されると、カーソル７２ｂで示された楽曲リスト内の全ての関連情報をクリップする。
なお、クリップ操作方法は図１６，図１７に示した方法以外の方法であってもよい。すなわち、端末装置１０に対して、クリップ対象の楽曲、あるいは楽曲リストを選択するためのユーザインタフェースを備えていればよい。
クリップが指示されたとき、表示装置１７には、クリップ確認画面が表示される。
図１８は、クリップ確認画面の表示例を示す図である。図１８に示すように、クリップ確認画面７３には、クリップされる関連情報が表示される。図１８の例では、曲タイトル「雨のち晴れ」、アーティスト名「ファルコンズ」、クリップ時刻「２００３／３／８  １９：２０」、クリップした場所「ＭＤ」と表示されている。このように、端末装置１０はクリップした楽曲の情報を表示した後、クリップした関連情報をクリップ情報記憶装置２１ａの１曲単位でクリップしたリスト６１に追加する。
また、ユーザによる楽曲リストのクリップ操作を受け付けた端末装置１０は、クリップする関連情報の内容の少なくとも一部を画面表示する。
図１９は、クリップした楽曲リスト情報の表示例を示す図である。図１９に示すように、画面７４には、クリップした楽曲リスト情報が表示される。図１９の例では、曲リスト名「ボサノバ特集」、クリップ時刻「２００３／３／８  ２１：２０」、クリップした場所「ＦＭ」と表示されている。このように、端末装置１０はクリップした楽曲の情報を表示した後、クリップした関連情報をクリップ情報記憶装置２１ａ内にクリップした楽曲集合のリストを新たに生成し、その集合リスト内に各楽曲の関連情報を追加する。
このようにして、端末装置１０は、楽曲の関連情報を１曲単位又は、楽曲集合単位でクリップすることができる。端末装置１０は、クリップされた楽曲及び楽曲集合を、ユーザの操作入力に応答して、表示装置１７に表示する。端末装置１０は、クリップした関連情報を、階層構造で格納しているため、階層構造の上位から辿ることで、任意の関連情報を選択できる。すなわち、端末装置１０は、クリップされた情報の表示要求が入力されると、表示装置１７に対し、楽曲集合一覧画面３１０を表示する。
図２０は、楽曲集合一覧画面の例を示す図である。楽曲集合一覧画面３１０には、１曲単位でクリップした曲の集合と、楽曲集合単位でクリップしたときに生成された楽曲集合のリストとが表示される。楽曲集合のリストの名称には、その含まれる楽曲の共通な属性が示されている。例えば、端末装置１０は、楽曲集合のリストとして放送局名、放送日、番組名を含む名称を設定する。また、端末装置１０は、日時検索による結果情報をクリップした場合、楽曲集合のリストとして放送局名、放送日時（時間帯）を含む名称を設定する。
端末装置１０は、楽曲集合一覧画面３１０で楽曲集合が選択されると、表示装置１７に対し、その楽曲集合に含まれる楽曲のリストを表示する。
図２１は、楽曲リスト表示画面の例を示す図である。楽曲リスト表示画面３２０には、クリップされた関連情報のリストが表示されている。例えば、端末装置１０は、関連情報から、ソース名、アーティスト名、タイトル等を抽出して、リスト表示させている。
楽曲リスト表示画面３２０で楽曲が選択されると、ユーザによる楽曲単位のクリップ操作を受け付けた端末装置１０は、クリップする関連情報の内容の少なくとも一部を画面表示する。
次に、クリップした関連情報に基づいて、検索等の指示を行うときの操作手順について説明する。
まず、端末装置１０は、ユーザからの操作入力に応答して、クリップ情報記憶装置２１ａ内にクリップした関連情報を表示装置１７に表示する。
図２２は、楽曲集合一覧の表示画面を示す図である。端末装置１０は、ユーザによる関連情報の表示指示が行われると、楽曲集合一覧７５ａを画面７５に表示する。このように、楽曲集合一覧７５ａは、図１４に示した関連情報の保存形式そのままに表示される。ユーザは、１曲単位でクリップした楽曲を見たい場合、１曲単位でクリップした楽曲リストを選択する。例えば、ユーザは、リモートコントローラ４０の上下方向の方向キー４１ａ，４１ｂを操作してカーソル７５ｂを移動し、１曲単位でクリップした楽曲リストの位置にカーソル７５ｂを合わせる。そして、端末装置１０は、ユーザにより決定キー４２が押されると、１曲単位で保存した楽曲リストの表示画面に、画面を遷移させる。
図２３は、１曲単位でクリップした楽曲リストの表示画面を示す図である。画面７６には、１曲単位でクリップした楽曲リスト７６ａが表示されている。ユーザは、楽曲リスト７６ａから任意の楽曲を選択することで、関連情報を参照することができる。
ユーザは、画面に表示された楽曲又は楽曲集合を特定し、その楽曲に関連する情報及び商品を検索又は購入を指示することができる。
図２４は、楽曲集合一覧から検索又は購入指示を行う操作例を示す図である。楽曲集合一覧７５ａが画面７５に表示されている状態では、ユーザは、情報検索又は購入指示の対象とする楽曲リストを選択する。例えば、ユーザは、リモートコントローラ４０の上下方向の方向キー４１ａ，４１ｂを操作してカーソル７５ｂを移動し、任意の楽曲リストの位置にカーソル７５ｂを合わせる。そして、端末装置１０は、ユーザによりツールキー４４が押されると、ツールメニュー７５ｃを表示する。
ツールメニュー７５ｃには、＜情報を検索する＞というコマンドと、＜購入する＞というコマンドとが表示される。ユーザは、リモートコントローラ４０の方向キー４１ａ〜４１ｄを操作してカーソル７５ｂを移動し、目的のコマンドの位置にカーソル７５ｂを合わせる。そして、端末装置１０は、ユーザにより決定キー４２が押されると、カーソル７５ｂで示されるコマンドに応じた処理を実行する。
端末装置１０は、＜情報を検索する＞というコマンドに応じた処理を実行した場合、例えば、アルバム名を検索キーとした検索要求を、サーバに対して送信する。また、端末装置１０は、特定のアルバムの楽曲リストが選択された状態で＜購入する＞というコマンドに応じた処理を実行した場合、そのアルバムの購入依頼をＣＤショップ等のサーバに送信する。
このように、端末装置１０は、検索又は購入したい楽曲が選択され、その楽曲の情報を検索するのか楽曲を購入するのかが選択されると、楽曲購入可能サーバに関連情報を送り、検索結果を取得したり、該当する楽曲のコンテンツ等を購入したりすることが可能となる。要求の送信相手は、検索の場合、楽曲データベースと検索手段を所持するサーバならばよく、購入の場合は楽曲を購入できるサーバであればよい。
ところで、上記の例では、楽曲の関連情報を一旦クリップした後、その関連情報に基づいて検索等の処理を行っているが、クリップする前の楽曲情報に基づいて、検索等の処理を行うこともできる。次に、楽曲又は楽曲の集合をクリップする動作とその楽曲に関連する情報及び商品を検索又は購入する動作を同時に行う、動作について説明する。
図２５は、楽曲集合一覧からクリップと同時に検索又は購入指示を行う操作例を示す図である。サーバから取得した楽曲リスト７２ａが画面７２に表示されると、ユーザは、リモートコントローラ４０の上下方向の方向キー４１ａ，４１ｂを操作して、カーソル７２ｂをクリップ対象の楽曲リストに合わせる。そして、端末装置１０は、ユーザによりリモートコントローラ４０のツールキー４４が押されると、ツールメニュー７２ｃを表示する。ツールメニュー７２ｃには、＜クリップする＞、＜クリップして検索する＞、＜クリップして購入する＞というコマンドが表示されている。ユーザは、リモートコントローラ４０の方向キー４１ａ〜４１ｄを操作してカーソル７２ｂを移動し、目的のコマンドの位置にカーソル７２ｂを合わせる。そして、端末装置１０は、ユーザにより決定キー４２が押されると、カーソル７２ｂで示されるコマンドに応じた処理を実行する。
端末装置１０は、＜クリップする＞というコマンドに応じた処理を実行した場合、指定された楽曲リストに含まれる楽曲をまとめてクリップする。また端末装置１０は、＜クリップして検索する＞というコマンドに応じた処理を実行した場合、指定された楽曲リストに含まれる楽曲をまとめてクリップすると共に、楽曲リストに関する情報を検索キーとした検索要求をサーバに送信する。さらに端末装置１０は、＜クリップして購入する＞というコマンドに応じた処理を実行した場合、指定された楽曲リストに含まれる楽曲をまとめてクリップすると共に、その楽曲リスト（例えば、アルバム）の購入依頼をＣＤショップ等のサーバに送信する。
このように、ユーザは、クリップしたい楽曲又は楽曲リストを選択し、画面上のポップアップメニュー等で同時に実行する複数の動作を１回の操作（１クリック）で選択できる。端末装置１０は、検索とクリップを同時に行う場合はまずクリップを行い、その後、関連情報に基づいて検索処理を行う。また、端末装置１０は、購入とクリップを同時に行う場合は、まずクリップを行い、その関連情報に基づいて購入処理を行う。
次に、検索処理の詳細について説明する。
検索には、ＣＤに収録されている楽曲の検索と、ＦＭ放送局で放送された楽曲の検索とがある。
図２６は、ＣＤ検索処理を示すフローチャートである。以下、図２６に示す処理をステップ番号に沿って説明する。
［ステップＳ３１］端末装置１０は、ユーザからの検索方法の指定を受け付ける。すると、端末装置１０は、検索方法がＣＤ番号検索か、それ以外の検索かを判断する。その結果、端末装置１０は、ＣＤ番号検索の場合、処理をステップＳ３２に進める。これに対して端末装置１０は、ＣＤ番号検索以外の検索の場合、処理をステップＳ３５に進める。
［ステップＳ３２］端末装置１０は、ＣＤ番号検索が指定されると、ＣＤ番号検索を実行する。具体的には、端末装置１０は、ＣＤ番号を検索キーとして含む検索要求をサーバに送信する。
［ステップＳ３３］端末装置１０は、ＣＤ番号検索が成功したか否かを判断する。その結果、端末装置１０は、サーバからの検索結果として、ＣＤに関する情報（アルバムタイトルや収録楽曲の関連情報等）が返された場合、検索成功と判断する。そして端末装置１０は、このように検索に成功した場合、検索処理を終了する。これに対して端末装置１０は、検索に失敗した場合、処理をステップＳ３４に進める。
［ステップＳ３４］端末装置１０は、ＣＤ番号検索に失敗すれば、ユーザに他の方法で検索するかを判断させる。すなわち、端末装置１０は、他の方法で検索を行うかどうかの操作入力を促すメッセージを表示し、ユーザからの操作入力を受け付ける。端末装置１０は、他の方法で検索を行うことが指定された場合、処理をステップＳ３５に進める。これに対して端末装置１０は、他の方法での検索を行わないことが指定された場合、処理を終了する。
［ステップＳ３５］端末装置１０は、他の方法での検索が指定されると、自動的に他の方法での検索を行う。
［ステップＳ３６］端末装置１０は、他の方法での検索が成功したか否かを判断する。端末装置１０は、サーバからの検索結果として、楽曲に関する情報（その楽曲を収録しているアルバムタイトル等）が返された場合、検索成功と判断する。端末装置１０は、このように検索に成功した場合、検索処理を終了する。これに対して端末装置１０は、検索に失敗した場合、処理をステップＳ３７に進める。
［ステップＳ３７］端末装置１０は、検索に失敗すれば、ユーザにさらにその他の方法で検索するかを判断させる。すなわち、端末装置１０は、他の方法で検索を行うかどうかの操作入力を促すメッセージを表示し、ユーザからの操作入力を受け付ける。端末装置１０は、他の方法で検索を行うことが指定された場合、処理をステップＳ３２に進める。これに対して端末装置１０は、他の方法での検索を行わないことが指定された場合、処理を終了する。
ここで、端末装置１０は、同じ方法で２度の検索は行わないものとする。従って端末装置１０は、このようにＣＤ検索を行うことで、ユーザに適した検索方法を提供することができる。
次に、ＦＭ局の放送内容から楽曲を検索する場合について説明する。
図２７は、ＦＭ局の放送内容から楽曲を検索するときの手順を示すフローチャートである。以下、図２７に示す処理をステップ番号に沿って説明する。
［ステップＳ４１］端末装置１０は、ユーザによるＦＭ局の選択操作入力を受け付ける。
［ステップＳ４２］端末装置１０は、ユーザによる検索方法の選択操作入力を受け付ける。
［ステップＳ４３］端末装置１０は、ユーザにより指定された検索方法を判断する。その結果、端末装置１０は、検索方法が日時検索であれば、処理をステップＳ４４に進める。これに対して端末装置１０は、検索方法が番組検索であれば処理をステップＳ４６に進める。
［ステップＳ４４］端末装置１０は、日時検索が指定された場合、日時検索を実行する。具体的には、端末装置１０は、検索対象の時間帯を指定する操作入力を受け付ける。端末装置１０は、検索対象の時間帯として、例えば、入力した時刻から所定の時間（例えば１時間）と指定させることができる。時間帯の指定を受けた端末装置１０は、その時間帯を示す情報を検索キーに含む検索要求を、該当するＦＭ局のサーバに送信する。
［ステップＳ４５］端末装置１０は、検索要求に対する検索結果を受け取ると、検索結果のリストを表示装置１７に表示し、処理を終了する。
［ステップＳ４６］また、端末装置１０は、番組検索が指定された場合、番組検索処理を行う。具体的には、端末装置１０は、ユーザから番組を指定する操作入力を受け付ける。すると、端末装置１０は、番組を識別する情報を含む検索要求を、該当するＦＭ局のサーバに送信する。
［ステップＳ４７］端末装置１０は、検索要求に対する検索結果を受け取ると、検索結果として得られる番組リストを表示装置１７に表示する。
［ステップＳ４８］端末装置１０は、番組リストの中から任意の番組を選択する操作入力を受け付ける。
［ステップＳ４９］端末装置１０は、選択された番組内で放送された楽曲のリストを、検索結果として表示し、処理を終了する。
以上のようにして、端末装置１０は、ＦＭ放送局で放送された楽曲の関連情報を取得することができる。以下、図２８〜図３４を参照して、放送された楽曲を検索する際の端末装置１０における画面遷移を説明する。
図２８は、ＦＭ局選択画面の例を示す図である。ＦＭ局選択画面８１には、ＦＭ局リスト８１ａが表示されている。ユーザは、ＦＭ局リスト８１ａから任意のＦＭ局を選択することができる。端末装置１０は、ＦＭ局が選択されると、表示装置１７の画面を、検索方法選択画面に遷移させる。
図２９は、検索方法選択画面の例を示す図である。検索方法選択画面８２には、検索方法リスト８２ａが表示されている。図２９の例では、＜日時で検索＞と＜番組で検索＞とが表示されている。ユーザは、検索方法リスト８２ａから任意の検索方法を選択することができる。端末装置１０は、検索方法が選択されると、表示装置１７の画面を、その検索方法に応じた検索画面に遷移させる。具体的には、端末装置１０は、＜日時で検索＞が選択されると、表示装置１７の画面を、日時検索画面に遷移させ、＜番組で検索＞が選択されると、表示装置１７の画面を、番組選択画面に遷移させる。
図３０は、日時検索画面の例を示す図である。日時選択画面８３には、日時入力部８３ａと検索指示部８３ｂとが表示されている。ユーザは日時入力部８３ａを選択し、探している楽曲が放送された日時を入力する。その後、端末装置１０は、ユーザにより検索指示部８３ｂが選択されると、サーバへ検索要求を出力する。そして、端末装置１０は、サーバから検索結果が返されると、表示装置１７の画面を、日時検索の検索結果画面に遷移させる。
図３１は、日時検索の検索結果画面の例を示す図である。検索結果画面８４には、検索結果として得られた関連情報のリスト８４ａが表示されている。さらに、検索結果画面８４には、＜前時＞と表記された検索時間帯変更部８４ｂと、＜後時＞と表記された検索時間帯変更部８４ｃとが表示されている。端末装置１０は、検索時間帯変更部８４ｂが選択されると、検索対象の時間帯を前にずらして、再度検索要求をサーバに送信する。これに対して端末装置１０は、検索時間帯変更部８４ｃが選択されると、検索対象の時間帯を後ろにずらして、再度検索要求をサーバに送信する。
図３２は、番組検索画面の例を示す図である。番組検索画面８５には、日時入力部８５ａと日時決定部８５ｂとが表示されている。ユーザは日時入力部８５ａを選択し、探している番組の放送日時を入力する。その後、端末装置１０は、ユーザにより日時決定部８５ｂが選択されると、サーバへ、対等日時の番組リストの取得要求を出力する。そして、端末装置１０は、サーバから番組リストが返されると、表示装置１７の画面を、番組リスト画面に遷移させる。
図３３は、番組リスト画面の例を示す図である。番組リスト画面８６には、取得した番組リスト８６ａが表示されている。さらに、番組リスト画面８６には、＜前日＞と表記された検索時間帯変更部８６ｂと、＜後日＞と表記された検索時間帯変更部８６ｃとが表示されている。端末装置１０は、検索時間帯変更部８６ｂが選択されると、検索対象の時間を維持したまま放送日を１日前にずらして、再度検索要求をサーバに送信する。これに対して端末装置１０は、検索時間帯変更部８６ｃが選択されると、検索対象の時間を維持したまま放送日を１日後にずらして、再度検索要求をサーバに送信する。
ユーザは番組リスト８６ａから任意の番組を選択することができる。端末装置１０は、番組が選択されると、表示装置１７の画面を、番組検索の検索結果画面に遷移させる。
図３４は、番組検索の検索結果画面の例を示す図である。検索結果画面８７には、検索結果として得られた関連情報のリスト８７ａが表示されている。さらに、検索結果画面８７には、＜前回＞と表記された放送回変更部８７ｂと、＜後回＞と表記された放送回変更部８７ｃとが表示されている。端末装置１０は、放送回変更部８７ｂが選択されると、同一番組の前回の放送内容を検索対象として、再度検索要求をサーバに送信する。これに対して端末装置１０は、放送回変更部８７ｃが選択されると、同一番組の次の回の放送内容を検索対象として、再度検索要求をサーバに送信する。
以上のように、本発明の実施の形態によれば、端末装置１０は、ユーザがラジオ、ＴＶ、ＣＤ、ダウンロード楽曲、試聴楽曲等、様々な楽曲を聴いている時に、気になった楽曲があれば、同様の方法で関連情報を容易にクリップすることができる。この際、端末装置１０は、全ソースの楽曲の関連情報を同じ手段でクリップすることができる。例えば、端末装置１０は、ＦＭ放送受信中の楽曲の情報（Ｎｏｗ  Ｏｎ  Ａｉｒ）に限らず、ＣＤのデータベース、ＣＤ  ＴＥＸＴ、ＭＤの曲情報、配信楽曲を購入した場合にそのコンテンツに付加されるデータ等、およそ全てのソースの関連情報を、同様の操作でクリップすることができる。しかも、端末装置１０は、クリップした関連情報一覧をユーザに見せて、楽曲の詳細情報の検索、楽曲の購入を容易に行うことができる。
さらに、端末装置１０は、クリップを楽曲に対しても、楽曲の集合に対しても行うことができる。そのため、端末装置１０は、ユーザの気になる楽曲が多数含まれたＦＭ番組、ＣＤアルバム等については、まるごとクリップすることで、１回のクリップ動作で、気になる楽曲集合の関連情報を記録することができる。しかも、端末装置１０は、取得した関連情報を階層構造で管理し、楽曲の集合の下位構造として個別の関連情報を設定し、各階層の構造を一覧表示することができる。従って、端末装置１０は、楽曲の集合をクリップする際に、楽曲集合のリストを表示して、そこから任意の楽曲集合を選択させればよい。なお、端末装置１０は、クリップした関連情報も、どのソースからクリップしたかによらず一覧として見せることができる。
また、端末装置１０は、関連情報を、クリップと同様の方法でクリップせずにダイレクトに検索することができる。また、端末装置１０は、同時にクリップする手段も持つことで、ユーザに対しクリップのダイレクト検索をその時の都合に応じて使い分けさせることができる。これにより、ユーザは、より少ないアクションで、ただちに気になる楽曲の商品を探すことができる。
なお、上記の端末装置１０が実行する機能の処理内容は、情報記録プログラムに記述されている。その情報記録プログラムをコンピュータで実行することにより、上記処理機能がコンピュータ上で実現される。処理内容を記述した情報記録プログラムは、コンピュータで読み取り可能な記録媒体に記録しておくことができる。コンピュータで読み取り可能な記録媒体としては、磁気記録装置、光ディスク、光磁気記録媒体、半導体メモリ等がある。磁気記録装置には、ハードディスク装置（ＨＤＤ）、フレキシブルディスク（ＦＤ）、磁気テープ等がある。光ディスクには、ＤＶＤ、ＤＶＤ−ＲＡＭ、ＣＤ−ＲＯＭ、ＣＤ−Ｒ（Ｒｅｃｏ−ｒｄａｂｌｅ）／ＲＷ（ＲｅＷｒｉｔａｂｌｅ）等がある。光磁気記録媒体には、ＭＯ（Ｍａｇｎｅｔｏ−Ｏｐｔｉｃａｌ  ｄｉｓｋ）等がある。
情報記録プログラムを流通させる場合には、例えば、その情報記録プログラムが記録されたＤＶＤ、ＣＤ−ＲＯＭ等の可搬型記録媒体が販売される。また、情報記録プログラムをサーバコンピュータの記憶装置に格納しておき、ネットワークを介して、サーバコンピュータから他のコンピュータにその情報記録プログラムを転送することもできる。
情報記録プログラムを実行するコンピュータは、例えば、可搬型記録媒体に記録された情報記録プログラムもしくはサーバコンピュータから転送された情報記録プログラムを、自己の記憶装置に格納する。そして、コンピュータは、自己の記憶装置から情報記録プログラムを読み取り、情報記録プログラムに従った処理を実行する。なお、コンピュータは、可搬型記録媒体から直接情報記録プログラムを読み取り、その情報記録プログラムに従った処理を実行することもできる。また、コンピュータは、サーバコンピュータから情報記録プログラムが転送される毎に、逐次、受け取った情報記録プログラムに従った処理を実行することもできる。
（３）第２の実施の形態
次に、図７のような放送中の楽曲の関連情報（例えばナウオンエア）を提供するサービス、図２６のようなＣＤ購入のためＣＤを検索するサービスや、図２７のようなオンエアリストや番組リストを提供するサービスが、複数のサービスサーバのうちのひとつのサーバにより実現されるようなサービスシステムについて、第２の実施の形態により詳細に説明する。本サービスシステムはシングルサインオン機能を有している。
（３−１）音楽関連サービス提供システムのシステム構成
図３５において、１０００は全体として音楽関連サービス提供システムを示し、この音楽関連サービス提供システム１０００の運営業者と契約しているユーザのクライアント端末１００２と、当該クライアント端末１００２を管理するポータルサーバ１００３と、当該クライアント端末１００２に対して音楽に関する各種サービスを提供する複数のサーバ１００４乃至１００８とを有している。
この実施の形態の場合、音楽データ配信サーバ１００４は、ＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末１００２に配信する音楽データ配信サービスを提供する。
また物販サーバ１００５は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末１００２を介してユーザに販売する物販サービスを提供する。
さらにラジオ放送情報配信サーバ１００６は、ラジオ局を介して放送されているラジオ放送のラジオ番組や音楽等についてのラジオ放送情報をクライアント端末１００２に配信するラジオ放送情報配信サービスを提供する。
さらにインターネットラジオサーバ１００７は、インターネットに相当するネットワークＮＴ１０００を介してラジオ放送データをストリーミング配信の形態でクライアント端末１００２に向けて放送するインターネットラジオ放送サービスを提供する。
これに加えて課金サーバ１００８は、ポータルサーバ１００３等からの要求に応じてユーザに対し様々な料金を課すための課金処理を実行するようになされている。
（３−２）クライアント端末１００２の機能回路ブロック構成
次にクライアント端末１００２の機能回路ブロックによるハードウェア構成を説明する。図３６に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングと呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークＮＴ１０００に接続し、当該ネットワークＮＴ１０００上のポータルサーバ１００３やその他サーバ１００４乃至１００７にアクセスすることができ、これによりポータルサーバ１００３やその他サーバ１００４乃至１００７との間で各種情報や各種データを送受信する。
エンコーダ／デコーダ部１０３４は、ネットワークＮＴ１０００からネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークＮＴ１０００からネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークＮＴ１０００からネットワークインタフェース１０３３及び通信制御部１０３２を順次介して受信されたＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワークＮＴ１０００上のポータルサーバ１００３やその他サーバ１００４乃至１００７に対し認証情報を通信制御部１０３２及びネットワークインタフェース１０３３を順次介して送信する等の認証処理を実行する。
認証情報記憶部１０３８は、認証処理部１０３７がポータルサーバ１００３やその他サーバ１００４乃至１００７に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ１００６に送信する。
その結果、ラジオ放送表示制御部１０３９は、ネットワークＮＴ１０００上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報を表示させる。
クライアント端末１００２の制御部１０２３は、記憶媒体１０２９に対して記憶するコンテンツデータを、図３７に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツデータについてのディレクトリ管理は、記憶媒体１０２９に記憶されているデータベースファイルによって行われる。
（３−３）ポータルサーバ１００３の機能回路ブロック構成
次に、図３８を用いてポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やその他サーバ１００４乃至１００８と各種情報を送受信する。
顧客データベース部１０５４には、音楽関連サービス提供システム１０００の運営業者とすでに契約を完了しているユーザのユーザＩＤ（Ｉｄｅｎｔｉｆｉ−ｃａｔｉｏｎ）情報とパスワード情報とが対応付けられて顧客情報として登録されている。
ページ情報記憶部１０５５には、音楽関連サービス提供システム１０００の運営業者が管理するページ情報等が記憶されている。
なおページ情報は、ＸＭＬ等の言語によって記述されており、音楽データ配信サーバ１００４、物販サーバ１００５、ラジオ放送情報配信サーバ１００６及びインターネットラジオサーバ１００７等にアクセスするためのＵＲＬ（Ｕｎｉ−ｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用のページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ１００４、物販サーバ１００５及びラジオ放送情報配信サーバ１００６からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ１００４、物販サーバ１００５及びラジオ放送情報配信サーバ１００６から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ１００４、物販サーバ１００５及びラジオ放送情報配信サーバ１００６に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（３−４）音楽データ配信サーバ１００４の機能回路ブロック構成
次に、図３９を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用のページ情報等が記憶されている。
因みに音楽データ配信用のページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用のページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用のページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システム１０００の運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用のページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用のページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信されると、当該受信されたダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
（３−５）物販サーバ１００５の機能回路ブロック構成
次に、図４０を用いて物販サーバ１００５の機能回路ブロックによるハードウェア構成を説明する。物販サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、物販サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、物販サーバ１００５が管理する、販売対象のＣＤやＤＶＤ等のパッケージメディアを紹介するパッケージメディア販売用のページ情報等が記憶されている。
因みにパッケージメディア販売用のページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用のページ情報を要求するページ情報取得要求信号をネットワークインタフェース１０９３及び通信制御部１０９２を順次介して受信すると、当該受信したページ情報取得要求信号に応じて、ページ情報記憶部１０９６に記憶されたパッケージメディア販売用のページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、当該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザが音楽関連サービス提供システム１０００の運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用のページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部１０９９は、クライアント端末１００２に対しパッケージメディア販売用のページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信されると、当該受信されたメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。
また制御部１０９０は、特定のパッケージメディアの購入に伴うユーザに対する課金処理用の課金情報を通信制御部１０９２及びネットワークインタフェース１０９３を順次介して課金サーバ１００８に送信することにより、課金サーバ１００８に対し当該ユーザに対する特定のパッケージメディアの購入に応じた課金処理を実行させる。
さらに制御部１０９０は、課金サーバ１００８によるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（３−６）ラジオ放送情報配信サーバ１００６の機能回路ブロック構成
次に、図４１を用いてラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
因みにオンエアリスト情報配信用のページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用のページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用のページ情報を通信制御部１１１２及びネットワークインタフェース１１１３を順次介してクライアント端末１００２に送信する。
その結果、検索部１１１８は、クライアント端末１００２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１３を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ページ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（３−７）各サーバの処理概要
次に図４２乃至図４７に示すシーケンスチャートを用いて、クライアント端末１００２とポータルサーバ１００３との間で実行される処理や、クライアント端末１００２とその他の音楽データ配信サーバ１００４、物販サーバ１００５及びラジオ放送情報配信サーバ１００６との間で実行される処理の概要を説明する。
（３−７−１）クライアント端末１００２及びポータルサーバ１００３間のユーザ認証処理手順
まず図４２を用いて、クライアント端末１００２とポータルサーバ１００３との間で実行されるユーザ認証処理手順について説明する。
音楽関連サービス提供システム１０００の運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
クライアント端末１００２で認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１０００の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信された認証セッションＩＤ情報等に基づいてユーザ認証処理を実行する。
その結果、制御部１０５０は、認証処理部１０５６により、クライアント端末１００２から受信した認証セッションＩＤ情報等の有効期限が切れる等して、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報及びパスワード情報等を読み出し、当該読み出したユーザＩＤ情報及びパスワード情報等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもとにユーザ認証処理として、そのクライアント端末１００２から受信されたユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもとにポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
そして認証処理部１０３７は、制御部１０２３の制御のもとに、ポータルサーバ１００３から受信されたその認証セッションＩＤ情報等を認証情報記憶部１０３８に一時記憶する。
これにより制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信された認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、そのクライアント端末１００２に対して発行していた認証セッションＩＤ情報等の有効期限を延長する。
これにより制御部１０５０は、ページ情報記憶部１０５５から、ユーザによっで取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、音楽データ配信サーバ１００４、物販サーバ１００５及びラジオ放送情報配信サーバ１００６へのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと認証情報記憶部１０３８において、ポータルサーバ１００３から受信された、有効期限の延長された認証セッションＩＤ情報等をその有効期限が延長される前の認証セッションＩＤ情報等に上書きするようにして一時記憶することにより、上述のステップＳＰ１００４において一時記憶していた認証セッションＩＤ情報等を有効期限の延長された認証セッションＩＤ情報等に更新する。
（３−７−２）クライアント端末１００２及び各サーバ１００４乃至１００６間のユーザ認証処理手順
次に、図４３において、クライアント端末１００２と、音楽データ配信サーバ１００４、物販サーバ１００５及びラジオ放送情報配信サーバ１００６との間で実行するユーザ認証処理について以下に説明する。
この場合、かかるユーザ認証処理としては、クライアント端末１００２が図４２について上述したようにポータルサーバ１００３からページ情報を一旦取得し、引き続きそのページ情報に埋め込まれたリンクにより音楽データ配信サーバ１００４、物販サーバ１００５及びラジオ放送情報配信サーバ１００６にアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４、物販サーバ１００５及びラジオ放送情報配信サーバ１００６に直接アクセスして実行されるユーザ認証処理（以下、これを直接アクセス認証処理と呼ぶ）もある。
ただし間接アクセス認証処理については、クライアント端末１００２と、音楽データ配信サーバ１００４、物販サーバ１００５及びラジオ放送情報配信サーバ１００６とが何れの組合せであっても同様の手順で実行することができる。
また直接アクセス認証処理についても、クライアント端末１００２と、音楽データ配信サーバ１００４、物販サーバ１００５及びラジオ放送情報配信サーバ１００６とが何れの組合せであっても同様の手順で実行することができる。
そして間接アクセス認証処理及び直接アクセス認証処理では、クライアント端末１００２において音楽データ配信サーバ１００４、物販サーバ１００５及びラジオ放送情報配信サーバ１００６へのアクセスに使用するＵＲＬ情報の取得の仕方のみが異なるだけで、当該ＵＲＬ情報の取得以降には、間接アクセス認証処理及び直接アクセス認証処理の両方共に同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用のページ情報（他の物販サーバ１００５やラジオ放送情報配信サーバ１００６では、パッケージメディア販売用のページ情報やオンエアリスト情報配信用のページ情報等となる）を取得要求するページ情報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４、物販サーバ１００５及びラジオ放送情報配信サーバ１００６とがユーザ認証処理等の各種処理の実行用に通信接続する毎に、個々の通信接続状態（すなわち、セッション）の識別用として、クライアント端末１００２がアクセスした音楽データ配信サーバ１００４、物販サーバ１００５及びラジオ放送情報配信サーバ１００６によって発行される識別情報である。
なおかかるサービスセッションＩＤ情報については、上述した認証セッションＩＤ情報と同様に、ユーザ認証処理等に利用するうえで音楽データ配信サーバ１００４、物販サーバ１００５及びラジオ放送情報配信サーバ１００６による発行時点を基準とした所定の有効期限（例えば１分程度）が設定されている。
従って各サーバ１００４乃至１００６からサービスセッションＩＤ情報を取得したクライアント端末１００２は、そのサービスセッションＩＤ情報を有効期限以内に発行元の音楽データ配信サーバ１００４、物販サーバ１００５及びラジオ放送情報配信サーバ１００６に対して提示することができない場合、これら発行元の音楽データ配信サーバ１００４、物販サーバ１００５及びラジオ放送情報配信サーバ１００６により、当該サービスセッションＩＤ情報で特定される通信接続状態が切断されたと判断される。
これにより音楽データ配信サーバ１００４、物販サーバ１００５及びラジオ放送情報配信サーバ１００６は、過去に発行したサービスセッションＩＤ情報が、音楽関連サービス提供システム１０００の運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４、物販サーバ１００５及びラジオ放送情報配信サーバ１００６とが以前にユーザ認証処理等の実行用に通信接続したとき、そのアクセス先の音楽データ配信サーバ１００４、物販サーバ１００５及びラジオ放送情報配信サーバ１００６によって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、クライアント端末１００２から受信されたサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信したサービスセッションＩＤ情報の有効期限がすでに切れていることにより、当該クライアント端末１００２を利用するユーザを正規ユーザであるとは認証することができないと、クライアント端末１００２からの音楽データ配信用のページ情報の取得要求が正当な要求ではないと判断する。
そして制御部１０７０は、認証処理部１０７５によりクライアント端末１００２を利用するユーザが正規ユーザであると認証されないと、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとして認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットを発行要求する認証チケット発行要求信号を生成し、当該生成した認証チケット発行要求信号を音楽データ配信サーバ１００４のショップコード、及びすでにポータルサーバ１００３から受信して認証情報記憶部１０３８に対し一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信された認証セッションＩＤ情報の有効期限がすでに切れており、当該クライアント端末１００２を利用するユーザを正規ユーザであるとは認証することができないと、クライアント端末１００２からの認証チケットの発行要求が正当な要求ではないと判断する。
そして制御部１０５０は、認証処理部１０５６によりクライアント端末１００２を利用するユーザが正規ユーザであると認証されないと、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信した認証セッションＩＤ情報の有効期限が未だ切れてはいないことで、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報及びパスワード情報等を読み出すと共に、当該読み出したユーザＩＤ情報及びパスワード情報等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもと、クライアント端末１００２から受信されたユーザＩＤ情報及びパスワード情報等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットを発行要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８に対しショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、次のステップＳＰ１０１８に移る。
ステップＳＰ１０１８において、認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
そして認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
これにより制御部１０５０は、認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介して音楽データ配信サーバ１００４に送信する。
また認証処理部１０３７は、このとき制御部１０２３の制御のもとに認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと認証チケット確認要求信号に応じて、その音楽データ配信サーバ１００４から受信された認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６により、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
これにより認証処理部１０７５は、制御部１０７０の制御のもとにその確認結果情報に応じ、サーバ認証結果情報として、現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
また制御部１０７０は、認証処理部１０７５によりそのクライアント端末１００２に対して発行されたサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に対し一時記憶させる。
これにより制御部１０２３は、音楽データ配信用のページ情報を要求するページ情報取得要求信号を、音楽データ配信サーバ１００４から受信して認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、上述のステップＳＰ１０２２においてすでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用のページ情報の取得要求が正当な要求であると判断する。
そして制御部１０７０は、認証処理部１０７５により、クライアント端末１００２を利用するユーザが正規ユーザであると認証されると、次のステップＳＰ１０２５に移る。
ステップＳＰ１０２５において、制御部１０７０は、ページ情報記憶部１０７６から、ユーザにより取得要求された音楽データ配信用のページ情報を読み出すと共に、認証処理部１０７５により、クライアント端末１００２に対して発行していたサービスセッションＩＤ情報等の有効期限を延長させる。
そして制御部１０７０は、そのページ情報記憶部１０７６から読み出した音楽データ配信用のページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用のページ情報と、有効期限の延長されたサービスセッションＩＤ情報等とをネットワークインタフェース１０３３及び通信制御部１０３２を順次介して受信し、当該受信した音楽データ配信用のページ情報をページ情報生成部１０３６に送出すると共に、その音楽データ配信サーバ１００４から受信したサービスセッションＩＤ情報等を認証処理部１０３７に送出する。
これにより認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用のページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用のページを表示する。
（３−７−３）音楽関連サービス提供処理
続いて図４４乃至図４７において、図４３について上述したクライアント端末１００２と、音楽データ配信サーバ１００４、物販サーバ１００５及びラジオ放送情報配信サーバ１００６との間で実行されたユーザ認証処理手順の終了後に、当該ユーザ認証処理手順においてクライアント端末１００２が音楽データ配信サーバ１００４、物販サーバ１００５及びラジオ放送情報配信サーバ１００６から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
（３−７−３−１）音楽データ配信サービス提供処理手順
まず図４４を用いてクライアント端末１００２が、音楽データ配信サーバ１００４から音楽データ配信サービスの提供を受ける際の音楽データ配信サービス提供処理手順について説明する。
ステップＳＰ１０３０において、クライアント端末１００２の制御部１０２３は、表示部１０２５に映像として表示された音楽データ配信用のページの一部を選択する制御コマンドが入力処理部１０２１から入力されると、当該入力された制御コマンドに応じて、ダウンロード希望の音楽データをダウンロード要求するダウンロード要求信号を生成する。
そして制御部１０２３は、そのダウンロード要求信号を、すでに音楽データ配信サーバ１００４で発行され認証情報記憶部１０３８に対し一時記憶されているサービスセッションＩＤ情報等と共に通信制御部１０３２及びネットワークインタフェース１０３３を順次介して音楽データ配信サーバ１００４に送信する。
ステップＳＰ１０３１において、音楽データ配信サーバ１００４の制御部１０７０は、クライアント端末１００２から送信されたダウンロード要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、認証情報記憶部１０７７に対しすでに一時記憶しているサービスセッションＩＤ情報等とを比較するようにしてユーザ認証処理を実行する。
その結果、制御部１０７０は、認証処理部１０７５により、クライアント端末１００２を利用して音楽データのダウンロードを要求したユーザが正規ユーザであると認証されると、次のステップＳＰ１０３２に移る。
ステップＳＰ１０３２において、検索部１０７９は、ダウンロード要求信号に格納されている検索キーに基づいて、音楽データ記憶部１０７８内の複数の音楽データの中から当該検索キーの示す検索条件に該当するダウンロード希望の音楽データを検索する。
そして制御部１０７０は、検索部１０７９により音楽データが検索されると、認証処理部１０７５により、クライアント端末１００２に対し発行していたサービスセッションＩＤ情報等の有効期限を延長させて、次のステップＳＰ１０３３に移る。
ステップＳＰ１０３３において制御部１０７０は、音楽データ記憶部１０７８から、検索部１０７９によって検索されたダウンロード希望の音楽データを読み出すと共に、当該読み出したダウンロード希望の音楽データを、認証処理部１０７５により有効期限の延長されたサービスセッションＩＤ情報等と共に通信制御部１０７２及びネットワークインタフェース１０７３を順次介してクライアント端末１００２に送信する。
ステップＳＰ１０３４において、クライアント端末１００２の制御部１０２３は、音楽データ配信サーバ１００４から送信されたダウンロード希望の音楽データと、有効期限の延長されたサービスセッションＩＤ情報等とをネットワークインタフェース１０３３及び通信制御部１０３２を順次介して受信し、当該受信した音楽データを記憶媒体１０２９に記憶すると共に、その音楽データ配信サーバ１００４から受信したサービスセッションＩＤ情報等を認証処理部１０３７に送出する。
認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
このようにしてクライアント端末１００２は、音楽データ配信サーバ１００４の提供している音楽データ配信サービスを利用して、ユーザにより取得の希望された音楽データをダウンロードすることができる。
（３−７−３−２）物販サービス提供処理手順
次に図４５を用いてクライアント端末１００２が、物販サーバ１００５から物販サービスの提供を受ける際の物販サービス提供処理手順について説明する。
ステップＳＰ１０４０において、クライアント端末１００２の制御部１０２３は、表示部１０２５に映像として表示されたパッケージメディア販売用のページの一部を選択する制御コマンドが入力処理部１０２１から入力されると、当該入力された制御コマンドに応じた特定のパッケージメディアに関するパッケージメディア情報を要求するメディア情報要求信号を生成する。
そして制御部１０２３は、そのメディア情報要求信号を、すでに物販サーバ１００５で発行され認証情報記憶部１０３８に対し一時記憶されているサービスセッションＩＤ情報等と共に通信制御部１０３２及びネットワークインタフェース１０３３を順次介して物販サーバ１００５に送信する。
ステップＳＰ１０４１において、物販サーバ１００５の制御部１０９０は、クライアント端末１００２から送信されたメディア情報要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアに関するパッケージメディア情報を要求したユーザが正規ユーザであると認証されると、次のステップＳＰ１０４２に移る。
ステップＳＰ１０４２において、検索部１０９９は、メディア情報要求信号に格納されている検索キーに基づいて、パッケージメディア情報記憶部１０９８内の複数のパッケージメディア情報の中から当該検索キーの示す検索条件に該当する特定のパッケージメディアのパッケージメディア情報を検索する。
そして制御部１０９０は、検索部１０９９によりパッケージメディア情報が検索されると、認証処理部１０９５により、クライアント端末１００２に対し発行していたサービスセッションＩＤ情報等の有効期限を延長させて、次のステップＳＰ１０４３に移る。
そしてステップＳＰ１０４３において制御部１０９０は、パッケージメディア情報記憶部１０９８から、検索部１０９９によって検索されたパッケージメディア情報を読み出すと共に、当該読み出したパッケージメディア情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４４において、クライアント端末１００２の制御部１０２３は、物販サーバ１００５から送信されたパッケージメディア情報と、有効期限の延長されたサービスセッションＩＤ情報等とをネットワークインタフェース１０３３及び通信制御部１０３２を順次介して受信し、当該受信したパッケージメディア情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたパッケージメディア情報に基づいて映像データを生成し、当該生成した映像データを表示制御部１０２４によりアナログ映像信号に変換して表示部１０２５に送出する。
このようにして制御部１０２３は、表示部１０２５に対しそのアナログ映像信号に基づく映像としてパッケージメディア情報を表示させると、次のステップＳＰ１０４５に移る。
ステップＳＰ１０４５において、制御部１０２３は、表示部１０２５に映像として表示させたパッケージメディア情報に対応するパッケージメディアを購入要求する制御コマンドが入力処理部１０２１から入力されると、当該入力された制御コマンドに応じてそのパッケージメディアを購入要求する購入要求信号を生成する。
そして制御部１０２３は、その購入要求信号を、すでに物販サーバ１００５から受信して認証情報記憶部１０３８に対し一時記憶されているサービスセッションＩＤ情報等（すなわち、有効期限の延長されたサービスセッションＩＤ情報等）と共に通信制御部１０３２及びネットワークインタフェース１０３３を順次介して物販サーバ１００５に送信する。
ステップＳＰ１０４６において、物販サーバ１００５の制御部１０９０は、クライアント端末１００２から送信された購入要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアの購入を要求したユーザが正規ユーザであると認証されると、次のステップＳＰ１０４７に移る。
ステップＳＰ１０４７において、制御部１０９０は、クライアント端末１００２を利用するユーザに対し、購入要求されたパッケージメディアを引き渡すための手続等の購入処理を実行すると共に、当該パッケージメディアの購入に伴うユーザに対する課金処理用の課金情報を通信制御部１０９２及びネットワークインタフェース１０９３を順次介して課金サーバ１００８に送信することにより、その課金サーバ１００８に対し当該ユーザに対するパッケージメディアの購入に応じた課金処理を実行させる。
また制御部１０９０は、認証処理部１０９５により、クライアント端末１００２に対し発行していたサービスセッションＩＤ情報等の有効期限を延長させる。
ステップＳＰ１０４８において、制御部１０９０は、課金処理終了後、パッケージメディアの購入処理が完了したことを示す購入完了ページ情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４９において、クライアント端末１００２の制御部１０２３は、物販サーバ１００５から送信された購入完了ページ情報と、有効期限の延長されたサービスセッションＩＤ情報等とをネットワークインタフェース１０３３及び通信制御部１０３２を順次介して受信し、当該受信した購入完了ページ情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられた購入完了ページ情報に基づく映像データを生成し、当該生成した映像データを表示制御部１０２４によりアナログ映像信号に変換して表示部１０２５に送出する。
これにより制御部１０２３は、表示部１０２５に対しそのアナログ映像信号に基づく映像として購入完了ページを表示させる。
このようにしてクライアント端末１００２は、物販サーバ１００５の提供している物販サービスを利用して、ユーザに対して所望のパッケージメディアを購入させることができる。
（３−７−３−３）オンエアリスト情報配信サービス提供処理手順
次に図４６を用いてクライアント端末１００２が、ラジオ放送情報配信サーバ１００６からラジオ放送情報配信サービスとして特にオンエアリスト情報配信サービスの提供を受ける際のラジオ放送情報配信サービス提供処理手順について説明する。
ステップＳＰ１０６０において、クライアント端末１００２の制御部１０２３は、表示部１０２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部１０２１から入力されると、当該入力された制御コマンドに応じて、取得希望のオンエアリスト情報をダウンロード要求するオンエアリスト情報要求信号を生成する。
そして制御部１０２３は、そのオンエアリスト情報要求信号を、すでにラジオ放送情報配信サーバ１００６で発行され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０６１において、ラジオ放送情報配信サーバ１００６の制御部１１１０は、クライアント端末１００２から送信されたオンエアリスト情報要求信号と、サービスセッションＩＤ情報等とをネットワークインタフェース１１１３及び通信制御部１１１２を順次介して受信し、当該受信したサービスセッションＩＤ情報等を認証処理部１１１５に送出する。
認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、制御部１１１０は、認証処理部１１１５により、クライアント端末１００２を利用してオンエアリスト情報を要求したユーザが正規ユーザであると認証されると、次のステップＳＰ１０６２に移る。
ステップＳＰ１０６２において、検索部１１１８は、オンエアリスト情報要求信号に格納されている検索キーに基づいて、オンエアリスト情報記憶部１１１７内のオンエアリスト情報全体に対し、当該検索キーの示す検索条件に該当する所定範囲部分を取得希望のオンエアリスト情報として検索する。
そして制御部１１１０は、検索部１１１８によりオンエアリスト情報が検索されると、認証処理部１１１５により、クライアント端末１００２に対し発行していたサービスセッションＩＤ情報等の有効期限を延長させて、次のステップＳＰ１０６３に移る。
そしてステップＳＰ１０６３において制御部１１１０は、オンエアリスト情報記憶部１１１７から、検索部１１１８によって検索されたオンエアリスト情報を読み出すと共に、当該読み出したオンエアリスト情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０６４において、クライアント端末１００２の制御部１０２３は、ラジオ放送情報配信サーバ１００６から送信されたオンエアリスト情報と、有効期限の延長されたサービスセッションＩＤ情報等とをネットワークインタフェース１０３３及び通信制御部１０３２を順次介して受信し、当該受信したオンエアリスト情報をページ情報生成部１０３６に送出すると共に、そのラジオ放送情報配信サーバ１００６から受信したサービスセッションＩＤ情報等を認証処理部１０３７に送出する。
認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたオンエアリスト情報に基づいて映像データを生成し、当該生成した映像データを表示制御部１０２４によりアナログ映像信号に変換して表示部１０２５に送出することにより当該表示部１０２５に対しそのアナログ映像信号に基づく映像としてオンエアリスト情報を表示させる。
このようにしてクライアント端末１００２は、ラジオ放送情報配信サーバ１００６の提供しているラジオ放送情報配信サービスを利用して、ユーザに対して所望のオンエアリスト情報を取得させることができる。
（３−７−３−４）ナウオンエア情報配信サービス提供処理手順
次に図４７を用いてクライアント端末１００２が、ラジオ放送情報配信サーバ１００６からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバ１００６は、ラジオ局（コールサイン）毎に設けられている。
そしてクライアント端末１００２には、初期状態において、各ラジオ局に対応するラジオ放送情報配信サーバ１００６のＵＲＬ情報が記憶されていない場合がある。
そのため以下のラジオ放送情報配信サービス提供処理手順については、各ラジオ放送情報配信サーバ１００６のＵＲＬ情報をラジオ局のコールサイン毎にポータルサーバ１００３が管理している場合を例に挙げて説明する。
またかかるラジオ放送情報配信サービス提供処理手順では、クライアント端末１００２が、ラジオ局毎の放送周波数を自動プリセットするためにポータルサーバ１００３に対して当該放送周波数を示す周波数情報を要求するときに、認証情報記憶部１０３８に対し認証セッションＩＤ情報等を一時記憶してはいない場合を想定している。このため、まずクライアント端末１００２は、ポータルサーバ１００３に対しユーザＩＤ情報及びパスワード情報等を送信することになる。
ステップＳＰ１０７０において、クライアント端末１００２の制御部１０２３は、入力処理部１０２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部１０３８に記憶されているユーザＩＤ情報及びパスワード情報等と共に通信制御部１０３２及びネットワークインタフェース１０３３を順次介してポータルサーバ１００３に送信する。
ステップＳＰ１０７１において、ポータルサーバ１００３の制御部１０５０は、クライアント端末１００２から送信された周波数情報要求信号、地域コード、ユーザＩＤ情報及びパスワード情報等をネットワークインタフェース１０５３及び通信制御部１０５２を順次介して受信し、そのクライアント端末１００２から受信したユーザＩＤ情報及びパスワード情報等を認証処理部１０５６に送出する。
認証処理部１０５６は、制御部１０５０の制御のもと、クライアント端末１００２から受信されたユーザＩＤ情報及びパスワード情報等と、顧客データベース部１０５４に登録している顧客情報とを比較するようにしてユーザ認証処理を実行する。
その結果、認証処理部１０５６は、クライアント端末１００２を利用するユーザを正規ユーザであると認証し、当該クライアント端末１００２からの周波数情報の取得要求が正当な要求であると判断すると、制御部１０５０の制御のもと、現時点のクライアント端末１００２とポータルサーバ１００３との通信接続状態に対する認証セッションＩＤ情報等を発行し、当該発行した認証セッションＩＤ情報等を認証情報記憶部１０５７に一時記憶する。
そして制御部１０５０は、このように認証処理部１０５６によりユーザが正規ユーザであると認証されると、次のステップＳＰ１０７２に移る。
ステップＳＰ１０７２において、制御部１０５０は、クライアント端末１００２から受信した地域コードに基づいて、周波数情報記憶部１０５８内の複数の周波数情報、ラジオ局名及びコールサインのリストの中から当該地域コードに対応する周波数情報、ラジオ局名及びコールサインを検索してリスト化し読み出す。
これにより制御部１０５０は、周波数情報記憶部１０５８からリスト化して読み出した周波数情報、ラジオ局名及びコールサインを、上述のステップＳＰ１０７１において認証処理部１０５６によりクライアント端末１００２に対して発行された認証セッションＩＤ情報等と共に通信制御部１０５２及びネットワークインタフェース１０５３を順次介してクライアント端末１００２に送信する。
ステップＳＰ１０７３において、クライアント端末１００２の制御部１０２３は、ポータルサーバ１００３から送信された周波数情報、ラジオ局名及びコールサインのリストと、認証セッションＩＤ情報等とをネットワークインタフェース１０３３及び通信制御部１０３２を順次介して受信し、当該ポータルサーバ１００３から受信した認証セッションＩＤ情報等を認証処理部１０３７に送出すると共に、周波数情報、ラジオ局名及びコールサインのリストを表示制御部１０２４に送出する。
これにより認証処理部１０３７は、制御部１０２３の制御のもと、ポータルサーバ１００３から受信された認証セッションＩＤ情報等を認証情報記憶部１０３８に一時記憶する。
また表示制御部１０２４は、制御部１０２３から与えられた周波数情報、ラジオ局名及びコールサインのリストを表示部１０２５に送出することにより当該表示部１０２５に対しそのリストを表示させる。
さらに制御部１０２３は、このとき入力処理部１０２１から入力される選択コマンドに基づき、選択された周波数情報、ラジオ局名及びコールサインを記憶媒体１０２９にプリセットとして記憶して、次のステップＳＰ１０７４に移る。
ステップＳＰ１０７４において、制御部１０２３は、入力処理部１０２１から入力されるチューニング制御コマンドに応じて、チューナ部１０３１を、ラジオ放送波の中からチューニング制御コマンドに対応する放送周波数で放送されているラジオ放送のラジオ放送信号を抽出するように制御する。
これによりチューナ部１０３１は、放送信号受信部３０により受信されたラジオ放送波の中から、その放送周波数で放送されているラジオ放送信号を抽出して復号等の所定の受信処理を施し、この結果得られた音声データを音声制御部１０２６に送出する。
従って音声制御部１０２６は、チューナ部１０３１から与えられる音声データをアナログ音声信号に変換してスピーカ１０２７に送出することにより当該スピーカ１０２７から、選択されたラジオ番組の音声を出力させることができる。
ステップＳＰ１０７５において、ラジオ放送表示制御部１０３９は、制御部１０２３の制御のもと、記憶媒体１０２９から、上述のチューニング制御コマンドに対応する放送周波数を示す周波数情報に対応して記憶されているコールサインを読み出すと共に、当該読み出したコールサインを、認証情報記憶部１０３８に対しすでに一時記憶されている認証セッションＩＤ情報等と共に通信制御部１０３２及びネットワークインタフェース１０３３を順次介してポータルサーバ１００３に送信する。
ステップＳＰ１０７６において、ポータルサーバ１００３の制御部１０５０は、クライアント端末１００２から送信されたコールサイン及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、クライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、制御部１０５０は、認証処理部１０５６により、クライアント端末１００２から受信した認証セッションＩＤ情報等が有効期限内のものであり、当該クライアント端末１００２を利用してコールサインを送信したユーザが正規ユーザであると認証されると、次のステップＳＰ１０７７に移る。
ステップＳＰ１０７７において、制御部１０５０は、クライアント端末１００２から受信したコールサインに基づいて、ＵＲＬ記憶部１０５９内の複数のＵＲＬ情報の中から当該コールサインに対応付けられたＵＲＬ情報を検索する。
また制御部１０５０は、認証処理部１０５６により、クライアント端末１００２に対し発行していた認証セッションＩＤ情報等の有効期限を延長させる。
そして制御部１０５０は、ＵＲＬ記憶部１０５９から、その検索したＵＲＬ情報を読み出すと共に、当該読み出したＵＲＬ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０７８において、クライアント端末１００２の制御部１０２３は、ポータルサーバ１００３から送信されたＵＲＬ情報と、有効期限の延長された認証セッションＩＤ情報等とをネットワークインタフェース１０３３及び通信制御部１０３２を順次介して受信し、当該受信した認証セッションＩＤ情報等を認証処理部１０３７に送出すると共に、ＵＲＬ情報をラジオ放送表示制御部１０３９に送出する。
認証処理部１０３７は、制御部１０２３の制御のもと認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、当該認証情報記憶部１０３８に対しすでに一時記憶している認証セッションＩＤ情報等の内容を更新する。
またラジオ放送表示制御部１０３９は、制御部１０２３の制御のもとに、当該制御部１０２３から与えられたＵＲＬ情報を、記憶媒体１０２９に記憶しているコールサインに対応付けて記憶媒体１０２９等に一時記憶する。
そしてラジオ放送表示制御部１０３９は、制御部１０２３の制御のもとに、記憶媒体１０２９等に一時記憶したＵＲＬ情報に従って、ナウオンエア情報を取得要求するナウオンエア情報要求信号を、すでにラジオ放送情報配信サーバ１００６から受信され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ここでかかるラジオ放送情報配信サービス提供処理手順では、ステップＳＰ１０７８においてクライアント端末１００２からナウオンエア情報要求信号及びサービスセッションＩＤ情報等をラジオ放送情報配信サーバ１００６に送信する処理が、図４３について上述したステップＳＰ１０１０の処理に対応している。
従ってこのラジオ放送情報配信サービス提供処理手順では、ステップＳＰ１０７８の処理に引き続き、クライアント端末１００２及びラジオ放送情報配信サーバ１００６並びにポータルサーバ１００３において、図４３について上述したステップＳＰ１０１１乃至ステップＳＰ１０１３及びステップＳＰ１０１８乃至ステップＳＰ１０２２と同様のユーザ認証処理を順次実行した後、続くステップＳＰ１０７９に移る。
ステップＳＰ１０７９において、クライアント端末１００２のラジオ放送表示制御部１０３９は、制御部１０２３の制御のもとに再び、記憶媒体１０２９等に一時記憶していたＵＲＬ情報に従ってナウオンエア情報要求信号を、すでにラジオ放送情報配信サーバ１００６から受信して認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０８０において、ラジオ放送情報配信サーバ１００６の制御部１１１０は、クライアント端末１００２から送信されたナウオンエア情報要求信号と、サービスセッションＩＤ情報等とをネットワークインタフェース１１１３及び通信制御部１１１２を順次介して受信し、当該受信した認証セッションＩＤ情報等を認証処理部１１１５に送出する。
これにより認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、認証処理部１１１５は、クライアント端末１００２を利用するユーザを正規ユーザであると認証すると、当該クライアント端末１００２からのナウオンエア情報の取得要求が正当な要求であると判断する。
そして制御部１１１０は、認証処理部１１１５により、クライアント端末１００２を利用するユーザが正規ユーザであると認証されると、当該認証処理部１１１５により、そのクライアント端末１００２に対し発行していたサービスセッションＩＤ情報等の有効期限を延長させて、次のステップＳＰ１０８１に移る。
ステップＳＰ１０８１において、制御部１１１０は、ナウオンエア情報記憶部１１１９からナウオンエア情報を読み出し、当該読み出したナウオンエア情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０８２において、クライアント端末１００２の制御部１０２３は、ラジオ放送情報配信サーバ１００６から送信されたナウオンエア情報と、有効期限の延長されたサービスセッションＩＤ情報等とをネットワークインタフェース１０３３及び通信制御部１０３２を順次介して受信し、当該受信したサービスセッションＩＤ情報等を認証処理部１０３７に送出すると共に、ナウオンエア情報をラジオ放送表示制御部１０３９に送出する。
これにより認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またラジオ放送表示制御部１０３９は、制御部１０２３から与えられたナウオンエア情報を表示制御部１０２４を介して表示部１０２５に送出することにより、当該表示部１０２５に対し、現在受信中のラジオ放送のラジオ番組に関するナウオンエア情報を表示させる。
そしてかかるラジオ放送情報配信サービス提供処理手順では、この後、クライアント端末１００２がステップＳＰ１０７９におけるナウオンエア情報の取得要求を定期的に繰り返し実行すると共に、ラジオ放送情報配信サーバ１００６がクライアント端末１００２からその取得要求を受けてステップＳＰ１０８０及びステップＳＰ１０８１の処理を順次実行する。
これによりクライアント端末１００２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末１００２の表示部１０２５に表示することができる。
なおこの実施の形態の場合、図４６に示すシーケンスチャートが、第１の実施の形態で上述した放送局サーバ３２による、ナウオンエアの提供サービスに対応している。
また図４７について上述したシーケンスチャートにおいて、ステップＳＰ１０７８乃至ステップＳＰ１０８２が、本願特許請求の範囲に記載の事項に対応している。
以上の構成によれば、音楽関連サービス提供システム１０００では、係るシステム１０００の提供する音楽関連サービスを受けるように登録したユーザを的確に認証したうえで、当該ユーザの利用するクライアント端末２に対し、ラジオ放送等の放送情報に含まれる楽曲等のコンテンツに関する関連情報（ナウオンエア情報やオンエアリスト情報等）を取得させることができる。
従って、この音楽関連サービス提供システム１０００では、第三者がかかる関連情報を取得して不当に利用することをほぼ確実に防止することができる。
なお、第２の実施の形態の場合、図３６について上述したクライアント端末１００２は、本発明の情報記録装置１及び第１の実施の形態による端末装置１０に対応している。また図３８について上述したポータルサーバ１００３は、第１の実施の形態による総合サービスサーバ３６に対応している。さらに図４１について上述したラジオ放送情報配信サーバ１００６は、第１の実施の形態による放送局サーバ３２に対応している。
これに加えて図３９について上述した音楽データ配信サーバ１００４は、第１の実施の形態による音楽配信サーバ３３に対応している。また図４０について上述した物販サーバ１００５は、第１の実施の形態によるＣＤショップサーバ３４に対応している。
ところで図６について上述した端末装置１０のプログラムモジュールにおいてＨＴＴＰメッセージプログラム１１１及びコミュニケータプログラム１１２は、図３６について上述したクライアント端末１００２の通信制御部１０３２と同様の機能を実現可能なプログラムモジュールである。
またコンテンツ再生モジュール１１３は、図３６について上述したクライアント端末１００２のエンコーダ／デコーダ部１０３４と同様の機能を実現可能なプログラムモジュールである。
さらに著作権保護情報管理モジュール１１４は、図３６について上述したクライアント端末１００２の著作権管理部１０３５と同様の機能を実現可能なプログラムモジュールである。
さらにインターネットラジオ選局再生モジュール１１８は、図３６について上述したクライアント端末１００２の制御部１０２３及び音声制御部１０２６と同様の機能を実現可能なプログラムモジュールである。
さらに楽曲購入再生モジュール１１９は、図３６について上述したクライアント端末１００２の制御部１０２３及び音声制御部１０２６と同様の機能を実現可能なプログラムモジュールである。
さらにＸＭＬブラウザ１５１は、図３６について上述したクライアント端末１００２の入力処理部１０２１及びページ情報生成部１０３６と同様の機能を実現可能なプログラムモジュールである。
さらにハードディスクコンテンツコントローラ１１７及びデータベースアクセスモジュール１１５並びにコンテンツデータアクセスモジュール１１６は、図３６について上述したクライアント端末１００２の制御部１０２３と同様の機能を実現可能なプログラムモジュールである。
さらにライブラリ１３０の認証ライブラリ１３１は、図３６について上述したクライアント端末１００２の認証処理部１０３７及び認証情報記憶部１０３８と同様の機能を実現可能なプログラムモジュールである。
さらにライブラリ１３０のクリップライブラリ１３２は、図３６について上述したクライアント端末１００２の制御部１０２３と同様の機能を実現可能なプログラムモジュールである。
さらに関連情報表示モジュール１２０は、図３６について上述したクライアント端末１００２のラジオ放送表示制御部１０３９と同様の機能を実現可能なプログラムモジュールである。
さらにチューナ選局再生／録音モジュール１２１は、図３６について上述したクライアント端末１００２の制御部１０２３及び音声制御部１０２６並びにチューナ部１０３１と同様の機能を実現可能なプログラムモジュールである。
さらにオーディオユーザインタフェース１５２は、図３６について上述したクライアント端末１００２の入力処理部１０２１及び制御部１０２３並びに表示制御部１０２４と同様の機能を実現可能なプログラムモジュールである。
さらにＣＤ再生モジュール１４１は、図３６について上述したクライアント端末１００２の音声制御部１０２６及び外部記録媒体記録再生部１０２８と同様の機能を実現可能なプログラムモジュールである。
さらにＨＤＤ再生モジュール１４２は、図３６について上述したクライアント端末１００２の制御部１０２３及び音声制御部１０２６と同様の機能を実現可能なプログラムモジュールである。
従って図５について上述したハードウェア回路ブロックによるハードウェア構成の端末装置１０では、ＣＰＵ１１が上述の各種プログラムモジュールに従って、図３６について上述した機能回路ブロックによるハードウェア構成のクライアント端末１００２と同様の処理を実行することができる。
そしてクライアント端末１００２は、各機能ブロックがそれぞれ端末装置１０のプログラムモジュールで実現可能な機能を網羅していることにより、上述した第１の実施の形態よって得られる効果と同様の効果を得ることができる。
また上述の実施の形態においては、クライアント端末１００２が受信可能な放送としてラジオ局から放送されるラジオ放送を適用したが、これに限らず、クライアント端末１００２がインターネットラジオ放送や衛星ラジオ放送を受信して、その関連情報及びラジオ放送情報を取得するようにしたり、或いはテレビジョン用の放送局から放送されるテレビジョン放送を受信し、そのテレビジョン放送のテレビジョン番組に関する各種放送情報等をネットワークＮＴ１０００上のサーバから取得することも可能である。
さらに上述の実施の形態においては、本発明による情報記録装置を情報記録装置１、端末装置１０及びクライアント端末１００２に適用するようにした場合について述べたが、本発明はこれに限らず、パーソナルコンピュータや携帯電話機、ＰＤＡ（Ｐｅｒｓｏｎａｌ  Ｄｉｇｉｔａｌ  Ａｓｓｉｓｔａｎｃｅ）、ゲーム機器等の情報処理装置、テレビジョン受像機、ラジオ放送受信機、ＤＶＤ（Ｄｉｇｉｔａｌ  Ｖｅｒｓａｔｉｌｅ  Ｄｉｓｃ）レコーダ、ハードディスクレコーダ等のように、この他種々の情報記録装置に広く適用することができる。
すなわち、上述の実施の形態においては、ハードウェア回路ブロック、機能回路ブロック及びプログラムモジュールを端末装置１０やクライアント端末１００２に実装した場合について述べたが、本発明はこれに限らず、これらを携帯電話機やパーソナルコンピュータ等、端末装置１０及びクライアント端末１００２以外の種々の端末に実装するようにしてもよく、これらハードウェア回路ブロック、機能回路ブロック及びプログラムモジュールを実装した端末であれば、上述した端末装置１０及びクライアント端末１００２と同様の処理を実現することができる。
さらに上述の実施の形態においては、本発明による情報記録プログラムを図６について上述したプログラムモジュールに適用するようにした場合について述べたが、本発明はこれに限らず、この他種々の構成の情報記録プログラムに適用することができる。
さらに上述の実施の形態においては、放送される複数のコンテンツの関連情報を受信する受信手段として、図１乃至図４７について上述した端末装置１０の通信処理部２２及びネットワークインタフェース２３や、クライアント端末１００２の通信制御部１０３２を適用するようにした場合について述べたが、本発明はこれに限らず、情報記録装置の利用する通信方式に応じて、この他種々の受信手段を広く適用することができる。
さらに上述の実施の形態においては、複数のコンテンツの関連情報を一時的に記憶する一時記憶手段として、図１乃至図４７について上述した端末装置１０のハードディスクドライブ２１や、クライアント端末１００２の記憶媒体１０２９を適用するようにした場合について述べたが、本発明はこれに限らず、光磁気ディスクや半導体メモリ等の記録媒体に関連情報を一時記録するドライブ回路等のように、この他種々の一時記憶手段を広く適用すことができる。
さらに上述の実施の形態においては、任意の関連情報を保管する保管手段として、図１乃至図４７について上述した端末装置１０のハードディスクドライブ２１や、クライアント端末１００２の記憶媒体１０２９を適用するようにした場合について述べたが、本発明はこれに限らず、光磁気ディスクや半導体メモリ等の記録媒体のように、この他種々の保管手段を広く適用することができる。
さらに上述の実施の形態においては、一時記憶手段に記憶された複数の関連情報を保管手段に記録するように指示する指示手段として、図１乃至図４７について上述した端末装置１０のＣＰＵ１１や、クライアント端末１００２の制御部１０２３を適用するようにした場合について述べたが、本発明はこれに限らず、ユーザの操作入力に応じて各種指示を出すことができれば、入力制御部等のように、この他種々の指示手段を広く適用することができる。
さらに上述の実施の形態においては、指示手段による指示に応じて、一時記憶手段に記憶されている複数の関連情報を保管手段に１つの集合単位として記録すると共に、当該集合単位に関連付けて集合名称を保管手段に記録する記録手段として、図１乃至図４７について上述した端末装置１０のＣＰＵ１１や、クライアント端末１００２の制御部１０２３を適用するようにした場合について述べたが、本発明はこれ限らず、光磁気ディスクや半導体メモリ等の記録媒体に情報を記録可能なドライブ回路等のように、この他種々の記録手段を広く適用することができる。
さらに上述の実施の形態においては、装填される記録媒体から当該記録媒体に記録されている複数のコンテンツを再生する再生手段として、図１乃至図４７について上述した端末装置１０のＣＰＵ１１や、クライアント端末１００２の制御部１０２３を適用するようにした場合について述べたが、本発明はこれに限らず、記録媒体の種類に応じたドライブ回路のように、この他種々の再生手段を広く適用することができる。
さらに上述の実施の形態においては、再生手段で再生される複数のコンテンツの関連情報を要求する要求情報を送信する送信手段として、図１乃至図４７について上述した端末装置１０の通信処理部２２及びネットワークインタフェース２３や、クライアント端末１００２の通信制御部１０３２を適用するようにした場合について述べたが、本発明はこれに限らず、情報記録装置の利用する通信方式に応じて、この他種々の送信手段を広く適用することができる。
さらに上述の実施の形態においては、認証機能を有する認証サーバとして、図１乃至図４７について上述した総合サービスサーバ３６及びポータルサーバ１００３を適用するようにした場合について述べたが、本発明はこれ限らず、認証機能のみを有するサーバ等のように、この他種々の認証サーバを広く適用することができる。
さらに上述の実施の形態においては、関連情報を提供する管理情報提供サーバとして、図１乃至図４７について上述した放送局サーバ３２及びラジオ放送情報配信サーバ１００６を適用するようにした場合について述べたが、本発明はこれに限らず、コンテンツの関連情報を提供可能であれば、ＣＤタイトル情報提供サーバ３１や、テレビジョン放送局の運営するサーバ等のように、この他種々の関連情報提供サーバを広く適用することができる。
さらに上述の実施の形態においては、関連情報提供サーバから認証エラーを示す情報と共に、端末装置に対して送信する当該関連情報提供サーバを識別するサービス識別情報として、図１乃至図４７について上述したショップコードを適用するようにした場合について述べたが、本発明はこれに限らず、関連情報提供サーバを識別可能であれば、この他種種のサービス識別情報を広く適用することができる。
産業上の利用の可能性
本発明は、パーソナルコンピュータや携帯電話機等の情報記録装置に利用することができる。
【図１】
2005006611.tif 000003
【図２】
2005006611.tif 000004
【図３】
2005006611.tif 000005
【図４】
2005006611.tif 000006
【図５】
2005006611.tif 000007
【図６】
2005006611.tif 000008
【図７】
2005006611.tif 000009
【図８】
2005006611.tif 000010
【図９】
2005006611.tif 000011
【図１０】
2005006611.tif 000012
【図１１】
2005006611.tif 000013
【図１２】
2005006611.tif 000014
【図１３】
2005006611.tif 000015
【図１４】
2005006611.tif 000016
【図１５】
2005006611.tif 000017
【図１６】
2005006611.tif 000018
【図１７】
2005006611.tif 000019
【図１８】
2005006611.tif 000020
【図１９】
2005006611.tif 000021
【図２０】
2005006611.tif 000022
【図２１】
2005006611.tif 000023
【図２２】
2005006611.tif 000024
【図２３】
2005006611.tif 000025
【図２４】
2005006611.tif 000026
【図２５】
2005006611.tif 000027
【図２６】
2005006611.tif 000028
【図２７】
2005006611.tif 000029
【図２８】
2005006611.tif 000030
【図２９】
2005006611.tif 000031
【図３０】
2005006611.tif 000032
【図３１】
2005006611.tif 000033
【図３２】
2005006611.tif 000034
【図３３】
2005006611.tif 000035
【図３４】
2005006611.tif 000036
【図３５】
2005006611.tif 000037
【図３６】
2005006611.tif 000038
【図３７】
2005006611.tif 000039
【図３８】
2005006611.tif 000040
【図３９】
2005006611.tif 000041
【図４０】
2005006611.tif 000042
【図４１】
2005006611.tif 000043
【図４２】
2005006611.tif 000044
【図４３】
2005006611.tif 000045
【図４４】
2005006611.tif 000046
【図４５】
2005006611.tif 000047
【図４６】
2005006611.tif 000048
【図４７】
2005006611.tif 000049
【国際調査報告】
2005006611.tif 000050
2005006611.tif 000051
2005006611.tif 000052
2005006611.tif 000053